(57)【要約】【課題】無線通信装置と接続した場合においても、１３９４バス上におけるデジタルＡＶコンテンツデータの著作権保護の実効を図ることができる１３９４ＬＳＩを、回路規模を増大させることなく実現する。【解決手段】第１の入出力インターフェイス１０６ａに入力されたデータを、第１の暗号化復号化手段１０３ａにより復号化した後、第２の暗号化復号化手段１０３ｂにより再暗号化した後、例えば１３９４ネットワークに送信し（データ伝送経路１５１ａで示す）、第２の送受信手段１０２ｂによって例えば１３９４ネットワークから受信されたデータを、第２の暗号化復号化手段１０３ｂにより復号化した後、第１の暗号化復号化手段１０３ａにより再暗号化して出力する（データ伝送経路１５１ｂで示す）。【選択図】      図３
2005003844.tif 000002
【特許請求の範囲】
【請求項１】
データの暗号化又は復号化を行なう少なくとも第１の暗号化復号化手段及び第２の暗号化復号化手段と、
データの送受信を行なう送受信手段とを備え、
第１の送信状態では、前記第１の暗号化復号化手段又は前記第２の暗号化復号化手段により暗号化された第１の送信データが前記送受信手段によって送信され、
第１の受信状態では、前記送受信手段によって受信された第１の受信データが前記第１の暗号化復号化手段又は前記第２の暗号化復号化手段により復号化され、
第２の送信状態では、前記第１の暗号化復号化手段により復号化された第２の送信データが、前記第２の暗号化復号化手段により暗号化された後、前記送受信手段によって送信され、
第２の受信状態では、前記送受信手段によって受信された第２の受信データが前記第２の暗号化復号化手段により復号化された後、前記第１の暗号化復号化手段により暗号化されることを特徴とするデータ送受信装置。
【請求項２】
前記第２の送信状態において、前記第２の送信データは前記第１の暗号化復号化手段により第１の鍵で復号化された後、前記第２の暗号化復号化手段により第２の鍵で暗号化されることを特徴とする請求項１に記載のデータ送受信装置。
【請求項３】
前記第２の受信状態において、前記第２の受信データは前記第２の暗号化復号化手段により第３の鍵で復号化された後、前記第１の暗号化復号化手段により第４の鍵で暗号化されることを特徴とする請求項１に記載のデータ送受信装置。
【請求項４】
前記第１の送信状態におけるデータ伝送経路と前記第２の送信状態におけるデータ伝送経路とを、又は前記第１の受信状態におけるデータ伝送経路と前記第２の受信状態におけるデータ伝送経路とを相互に切り替えるための切り替え手段を更に備えていることを特徴とする請求項１〜３のいずれか１項に記載のデータ送受信装置。
【請求項５】
前記切り換え手段は、
前記第１の暗号化復号化手段と前記送受信手段との間のデータ伝送経路上に設けられた第１のセレクタと、
前記第２の暗号化復号化手段と前記送受信手段との間のデータ伝送経路を経由して該第２の暗号化復号化手段から出力されたデータのデータ伝送経路上に設けられた第２のセレクタとから構成され、
前記第２の送信状態では、前記第２の送信データが、前記第１の暗号化復号化手段、前記第１のセレクタ、前記第２のセレクタ、前記第２の暗号化復号化手段、及び前記送受信手段を順に経由するデータ伝送経路に切り替えられ、
前記第２の受信状態では、前記第２の受信データが、前記送受信手段、前記第２の暗号化復号化手段、前記第２のセレクタ、前記第１のセレクタ、及び前記第１の暗号化復号化手段を順に経由するデータ伝送経路に切り替えられることを特徴とする請求項４に記載のデータ送受信装置。
【請求項６】
前記切り替え手段は、
前記第１の暗号化復号化手段と前記送受信手段との間のデータ伝送経路上に設けられた第１のスイッチと、
前記第２の暗号化復号化手段と前記送受信手段との間のデータ伝送経路を経由して該第２の暗号化復号化手段から出力されたデータのデータ伝送経路上に設けられた第２のスイッチと、
前記第１の暗号化復号化手段と前記第１のスイッチとの間のデータ伝送経路と、前記第２の暗号化復号化手段と前記第２のスイッチとの間のデータ伝送経路とを接続するデータ伝送経路上に設けられた第３のスイッチとを備え、
前記第１〜第３のスイッチのそれぞれのＯＮ状態又はＯＦＦ状態を組み合わせることにより、
前記第２の送信状態では、前記第２の送信データが、前記第１の暗号化復号化手段、前記第３のスイッチ、前記第２の暗号化復号化手段、及び前記送受信手段を順に経由するデータ伝送経路に切り替えられ、
前記第２の受信状態では、前記第２の受信データが、前記送受信手段、前記第２の暗号化復号化手段、前記第３のスイッチ、及び前記第１の暗号化復号化手段を順に経由するデータ伝送経路に切り替えられることを特徴とする請求項４に記載のデータ送受信装置。
【請求項７】
データの暗号化又は復号化を行なう少なくとも第１の暗号化復号化手段及び第２の暗号化復号化手段と、
データの送受信を行なう送受信手段とを備え、
第１の送信状態では、前記第１の暗号化復号化手段又は前記第２の暗号化復号化手段により暗号化された第１の送信データが前記送受信手段によって送信され、
第１の受信状態では、前記送受信手段によって受信された第１の受信データが前記第１の暗号化復号化手段又は前記第２の暗号化復号化手段により復号化され、
第２の送信状態では、前記送受信手段によって受信された第２の送信データが、前記第１の暗号化復号化手段により復号化された後、前記第２の暗号化復号化手段により暗号化され、その後、前記送受信手段によって送信されることを特徴とするデータ送受信装置。
【請求項８】
前記第２の送信状態において、前記第２の送信データは前記第１の暗号化復号化手段により第５の鍵で復号化された後、前記第２の暗号化復号化手段により第６の鍵で暗号化されることを特徴とする請求項７に記載のデータ送受信装置。
【請求項９】
前記第１の暗号化復号化手段と前記送受信手段との間のデータ伝送経路を経由して該第１の暗号化復号化手段から出力されたデータのデータ伝送経路上に設けられた第１のセレクタと、
前記第１の暗号化復号化手段と前記送受信手段との間のデータ伝送経路を経由して該第２の暗号化復号化手段から出力されたデータのデータ伝送経路上に設けられた第２のセレクタとを更に備え、
前記第２の送信状態では、前記第２の送信データが、前記送受信手段、前記第１の暗号化復号化手段、前記第１のセレクタ、前記第２のセレクタ、前記第２の暗号化復号化手段、及び前記送受信手段を順に経由するデータ伝送経路に切り替えられることを特徴とする請求項７又は８に記載のデータ送受信装置。
【請求項１０】
前記第１の暗号化復号化手段及び前記第２の暗号化復号化手段により行なわれる暗号化又は復号化のための鍵の種類を選択し、又は該鍵を該複数の暗号化復号化手段に設定するか否かを決定する鍵設定制御部を更に備えていることを特徴とする請求項２、３、及び８のいずれか１項に記載のデータ送受信装置。
【請求項１１】
前記第１及び第２のセレクタによって行なわれるデータ伝送経路の切り替えを決定するセレクタ制御部を更に備えていることを特徴とする請求項５又は９に記載のデータ送受信装置。
【請求項１２】
前記第１及び第２のセレクタの動作を決定するための情報を書き込むレジスタが、前記セレクタ制御部に設けられていることを特徴とする請求項１１に記載のデータ送受信装置。
【請求項１３】
前記第１〜第３のスイッチによって行なわれるデータ伝送経路の切り替えを決定するスイッチ制御部を更に備えていることを特徴とする請求項６に記載のデータ送受信装置。
【請求項１４】
前記第１〜第３のスイッチの動作を決定するための情報を書き込むレジスタが、前記スイッチ制御部に設けられていることを特徴とする請求項１３に記載のデータ送受信装置。
【請求項１５】
前記送受信手段は少なくとも第１の送受信手段及び第２の送受信手段により構成され、
前記第１の送受信手段によって行なわれる前記第１の送信データの前記第１の送信状態における送信と、前記第２の送受信手段によって行なわれる前記第１の受信データの前記第１の受信状態における受信とが、同時に行なわれることを特徴とする請求項１〜１４のいずれか１項に記載のデータ送受信装置。
【請求項１６】
データの暗号化又は復号化を行なう少なくとも第１の暗号化復号化手段及び第２の暗号化復号化手段と、
データの送受信を行なう送受信手段と、
外部装置との間でデータの入出力を行う入出力インターフェイスと、
前記送受信手段と前記第１の暗号化復号化手段との間のデータ伝送経路上に配置された第１の切り替え手段と、
前記入出力インターフェイスと前記第２の暗号化復号化手段との間のデータ伝送経路上に配置された第２の切り替え手段とを少なくとも備え、
前記第１の切り替え手段は、該第１の切り替え手段と前記第１の暗号化復号化手段との間のデータ伝送経路を、該第１の切り替え手段と前記送受信手段との間のデータ伝送経路、又は該第１の切り替え手段と前記第２の切り替え手段との間のデータ伝送経路に接続するように動作し、
前記第２の切り替え手段は、該第２の切り替え手段と前記第２の暗号化復号化手段との間のデータ伝送経路を、該第２の切り替え手段と前記入出力インターフェイスとの間のデータ伝送経路、又は該第２の切り替え手段と前記第１の切り替え手段との間のデータ伝送経路に接続するように動作することを特徴とするデータ送受信装置。
【請求項１７】
データの暗号化又は復号化を行なう少なくとも第１の暗号化復号化手段及び第２の暗号化復号化手段と、
データの送受信を行なう送受信手段と、
外部装置との間でデータの入出力を行なう入出力インターフェイスと、
前記入出力インターフェイスと前記第１の暗号化復号化手段との間のデータ伝送経路上に配置された第１の切り替え手段と、
前記入出力インターフェイスと前記第２の暗号化復号化手段との間のデータ伝送経路上に配置された第２の切り替え手段とを少なくとも備え、
前記第１の切り替え手段は、該第１の切り替え手段と前記第１の暗号化復号化手段との間のデータ伝送経路を、該第１の切り替え手段と前記入出力インターフェイスとの間のデータ伝送経路、又は該第１の切り替え手段と前記第２の切り替え手段との間のデータ伝送経路に接続するように動作し、
前記第２の切り替え手段は、該第２の切り替え手段と前記第２の暗号化復号化手段との間のデータ伝送経路を、該第２の切り替え手段と前記入出力インターフェイスとの間のデータ伝送経路、又は該第２の切り替え手段と前記第１の切り替え手段との間のデータ伝送経路に接続するように動作することを特徴とするデータ送受信装置。
【請求項１８】
１つの集積回路上に集積されていることを特徴とする請求項１〜１７のいずれか１項に記載のデータ送受信装置。
【請求項１９】
前記送受信手段において、ＩＥＥＥ１３９４規格に準拠した送受信が行なわれることを特徴とする請求項１〜１８のいずれか１項に記載のデータ送受信装置。
【請求項２０】
データの暗号化又は復号化を行なう少なくとも第１の暗号化復号化手段及び第２の暗号化復号化手段と、
データの送受信を行なう送受信手段とを備えた第１のデータ送受信装置と、
データの送受信を行なう第２のデータ送受信装置とから構成され、
第１の送信状態では、前記第２のデータ送受信装置によって受信された第１の送信データが、前記第１のデータ送受信装置に出力された後、前記第１の暗号化復号化手段又は前記第２の暗号化復号化手段により復号化され、その後、前記送受信手段によって送信され、
第１の受信状態では、前記送受信手段によって受信された第１の受信データが前記第１の暗号化復号化手段又は前記第２の暗号化復号化手段により復号化された後、前記第２のデータ送受信装置に出力され、その後、前記第２のデータ送受信装置によって送信され、
第２の送信状態では、前記第２のデータ送受信装置によって受信された第２の送信データが、前記第１のデータ送受信装置に出力された後、前記第１の暗号化復号化手段により復号化され、その後、前記第２の暗号化復号化手段により暗号化され、その後、前記送受信手段によって送信され、
第２の受信状態では、前記送受信手段によって受信された第２の受信データが、前記第２の暗号化復号化手段により復号化された後、前記第１の暗号化復号化手段により暗号化され、その後、前記第２のデータ送受信装置に出力され、その後、前記第２のデータ送受信装置によって送信されることを特徴とするデータ送受信システム。
【請求項２１】
前記第１のデータ送受信装置は、前記第１の送信状態におけるデータ伝送経路と前記第２の送信状態におけるデータ伝送経路とを、又は前記第１の受信状態におけるデータ伝送経路と前記第２の受信状態におけるデータ伝送経路とを相互に切り替えるための切り替え手段を更に備えていることを特徴とする請求項２０に記載のデータ送受信システム。
【請求項２２】
前記第２の送信状態において、前記第２の送信データは前記第１の暗号化復号化手段により第７の鍵で復号化された後、前記第２の暗号化復号化手段により第８の鍵で暗号化されることを特徴とする請求項２０又は２１に記載のデータ送受信システム。
【請求項２３】
前記第２の受信状態において、前記第２の受信データは前記第２の暗号化復号化手段により第９の鍵で復号化された後、前記第１の暗号化復号化手段により第１０の鍵で暗号化されることを特徴とする請求項２０又は２１に記載のデータ送受信システム。
【請求項２４】
前記送受信手段によって、ＩＥＥＥ１３９４規格に準拠した送受信が行なわれることを特徴とする請求項２０〜２３のいずれか１項に記載のデータ送受信システム。
【請求項２５】
前記第２のデータ送受信装置によって、ＩＥＥＥ８０２．１１規格に準拠した送受信が行なわれることを特徴とする請求項２０〜２４のいずれか１項に記載のデータ送受信システム。
【請求項２６】
前記第２の送信状態における前記第２の送信データがされる復号化と、
前記第２の受信状態における前記第２の受信データがされる暗号化とが、ＩＥＥＥ８０２．１１規格に準拠していることを特徴とする請求項２０〜２５のいずれか１項に記載のデータ送受信システム。
【発明の詳細な説明】
【０００１】
【発明の属する技術分野】
本発明は、ネットワーク上のコンテンツデータを暗号化することにより不正コピーを防止する技術に関する。
【０００２】
【従来の技術】
近年のデジタル社会では、家庭内ＡＶ機器の機器間を接続することによりデジタルＡＶデータを転送する必要がある。このため、デジタルＡＶデータの転送を実現する技術として、ＩＥＥＥ１３９４規格が普及している。このようにして利用されるデジタルＡＶデータには、様々な圧縮方式に対応していること、及び再生を繰り返しても劣化が生じないこと等の優れた特徴がある。ところがその反面、デジタルＡＶデータには、「コンテンツの不正コピーを容易に行なえる」という難点もある。このため、「不正コピーの防止」のための技術を確立する必要性があった。そこで、ＩＥＥＥ１３９４規格に準拠して転送されるデジタルＡＶデータに関しては、ＤＴＣＰ（Ｄａｔａ  Ｔｒａｎｓｍｉｓｓｉｏｎ  Ｃｏｎｔｅｎｔｓ  Ｐｒｏｔｅｃｔｉｏｎ）技術によって「不正コピーの防止」が実現された。
【０００３】
このようなＩＥＥＥ１３９４規格が家庭内ＡＶ機器に普及している理由としては、デジタルＡＶデータを高速に伝送（最大４００Ｍｂｐｓ）できるという点と共に、不正コピーの防止技術が確立しているという上記の点を挙げることができる。
【０００４】
以下、不正コピーの防止技術が確立したＩＥＥＥ１３９４規格に準拠した従来のＩＥＥＥ１３９４ＬＳＩについて図面を参照しながら説明する。
【０００５】
図２７は、現在、ＡＶ機器に普及しているＩＥＥＥ１３９４ＬＳＩの一例として、例えば松下電器産業株式会社において製品化されているＩＥＥＥ１３９４ＬＳＩ（製品番号ＭＮ８６４６０２）を示す構成図である。
【０００６】
図２７に示すように、ＩＥＥＥ１３９４ＬＳＩ（以下、１３９４ＬＳＩと称する）１０は、ＰＨＹ（物理層）１１と、ＬＩＮＫ  Ｃｏｎｔｒｏｌ（リンク層）１２と、ＩＳＯ（アイソクロナス処理ブロック）１３と、Ａｓｙｎｃ（アシンクロナス処理ブロック）１４と、Ａｕｔｈｅｎｔｉｃａｔｉｏｎ（ＡＫＥアクセラレータ）１５と、Ｉ／Ｏ  Ｃｏｎｔｒｏｌ（外部インターフェイス）  ＆  ＰＩＤ（Ｐａｃｋｅｔ  Ｉｄｅｎｔｉｆｉｃａｔｉｏｎ）Ｆｉｌｔｅｒ１６とから構成される。物理層１１は、リピータ又はＩＥＥＥ１３９４端子（以下、１３９４端子と称する）１７に接続されたＩＥＥＥ１３９４バス（以下、１３９４バスと称する）１８の初期化を行なう。リンク層１２は、物理層１１との間でデータのやり取りを行なう。アイソクロナス処理ブロック１３は、データをアイソクロナス伝送するためのプロトコル処理を行なう。アシンクロナス処理ブロック１４は、データをアシンクロナス伝送するためのプロトコル処理を行なう。ＡＫＥ（Ａｕｔｈｅｎｔｉｃａｔｉｏｎ  ａｎｄ  Ｋｅｙ  Ｅｘｃｈａｎｇｅ）アクセラレータ１５は、１３９４バス１８を通じて送受信される１３９４パケットの著作権を保護するために、ＤＴＣＰ規格に準拠した暗号化又は復号化を１３９４パケットに対して行なうための鍵を生成する。外部インターフェイス（１６）は、外部インターフェイスポート端子１９に接続された外部バス２０を通じてデータの入出力を行なう。
【０００７】
図２８は、図２７に示す１３９４バス１８を通じて送受信される１３９４パケットの構成を示す図である。
【０００８】
図２８に示すように、１３９４パケット５０は、１３９４パケットヘッダ５１と、ＣＩＰ（Ｃｏｍｍｏｎ  Ｉｓｏｃｈｒｏｎｏｕｓ  Ｐａｃｋｅｔ）ヘッダ５２と、コンテンツデータ５３（例えばＭＰＥＧデータ）と、データ＿ＣＲＣ５４とから構成される。
【０００９】
以下、図２７及び図２８を用いて、１３９４バス１８を通じて受信された１３９４パケット５０を構成する例えばＭＰＥＧデータ（コンテンツデータ５３）が１３９４ＬＳＩ１０から出力されるまでの流れを説明する。
【００１０】
図２７に示すように、まず、１３９４端子１７に接続された１３９４バス１８を通じて受信された１３９４パケット５０は、物理層１１を経由してリンク層１２に送られる。リンク層１２に送られた１３９４パケット５０は、リンク層１２において、１３９４パケット５０を構成する１３９４パケットヘッダ５１に基づいてデータの種別が判断される。データの種別が判断された１３９４パケット５０は、リンク層１２において１３９４パケットヘッダ５１及びデータ＿ＣＲＣ５４をはずされた後、アイソクロナス処理ブロック１３に送られる。その後、アイソクロナス処理ブロック１３において、１３９４パケット５０を構成するＣＩＰヘッダ５２に基づいてプロトコルが判断される。その後、更にＣＩＰヘッダ５２もはずされる。最後に、１３９４パケット５０のうちの残されたＭＰＥＧデータ（５３）は、外部インターフェイス（１６）を経由した後、外部インターフェイスポート端子１９に接続された外部バス２０を通じて出力される。
【００１１】
また、図２７に示すように、１３９４バス１８と接続された１３９４端子１７は、２つの端子、具体的には第１の１３９４端子１７ａと第２の１３９４端子１７ｂとから構成される。また、アイソクロナス処理ブロック１３は、それぞれ独立してコンテンツデータを処理することができる２つのブロック、具体的には、第１のアイソクロナス処理ブロック１３ａと第２のアイソクロナス処理ブロック１３ｂとから構成される。また、外部バス２０と接続されている外部インターフェイスポート端子１９は、２つの端子、具体的には第１の外部インターフェイスポート端子１９ａと第２のインターフェイスポート端子１９ｂとから構成される。また、物理層１１には、２つの独立したポート、具体的には第１のポート２１ａと第２のポート２１ｂとがある。
【００１２】
これにより、第１のアイソクロナス処理ブロック１３ａ及び第２のアイソクロナス処理ブロック１３ｂのそれぞれを用いて２種類のコンテンツデータ５３を別個独立に処理することができる。よって、例えばＤＶＤレコーダを１３９４ＬＳＩ１０の第１の１３９４端子１７ａ及び第２の１３９４端子１７ｂに接続すれば、外部インターフェイスポート端子１９に入力されたＭＰＥＧ画像を録画することと、ＤＶＤレコーダに記録されたＭＰＥＧ画像を再生して外部バス２０に接続されたディスプレイなどに表示することとを、１台のＤＶＤレコーダにおいて同時に行なうことができる。
【００１３】
また、１つのアイソクロナス処理ブロック１３（例えば第１のアイソクロナス処理ブロック１３ａ）には、外部バス２０を通じて入力されたＭＰＥＧデータを暗号化する機能と、１３９４バス１８を通じて受信されたＭＰＥＧデータを復号化する機能とがある。すなわち、データ送信時には、第１の外部インターフェイスポート端子１９ａに接続された外部バス２０を通じて入力されたＭＰＥＧデータを、第１のアイソクロナス処理ブロック１３ａにおいて、ＡＫＥアクセラレータ１５で生成された暗号化鍵により暗号化する。また、データ受信時には、第１の１３９４端子１７ａに接続された１３９４バス１８上の他ノードで暗号化されたＭＰＥＧデータを、第１のアイソクロナス処理ブロック１３ａにおいて、ＡＫＥアクセラレータ１５で生成された復号化鍵により復号化する。このように、データの送信及び受信の双方に対応するために、第１及び第２のアイソクロナス処理ブロック１３ａ及び１３ｂのそれぞれが、暗号化部（暗号化機能）と復号化部（復号化機能）とを共に兼ね備える構成になっている。言い換えると、ＩＥＥＥ１３９４規格に準拠して確立された不正コピー防止技術を活用することのできる構成になっている。よって、著作権保護が必要なＭＰＥＧデータを１３９４バス１８上に出力する場合、そのＭＰＥＧデータを出力前に暗号化することができるため、送受信されるコンテンツデータのセキュリティを高めることができる。
【００１４】
尚、著作権を保護する必要のないデータを送信する場合、入力されたデータをアイソクロナス処理ブロックで暗号化せずにそのまま送信することも可能である。
【００１５】
また、同様に、著作権を保護する必要のないデータ（暗号化されていないデータ）を受信した場合も、そのデータをそのまま出力することも可能である。
【００１６】
一方、近年、ＰＣ（パソコン）機器間のワイヤレス（無線）化が加速している。例えば、ＰＣとモニタ（特に液晶ディスプレイ）との間、又はＬＡＮを構築するＰＣ間などにＩＥＥＥ８０２．１１ｂ規格（２．４ＧＨｚ帯／最大１１Ｍｂｐｓ）を用いて、機器間をワイヤレスにする製品が市場に出回っている。これに伴い、「家庭内ＡＶ環境のワイヤレス化」が大きな注目を集めている。すなわち、家庭内デジタルＡＶ機器のデジタルＡＶデータ（例えばＩＥＥＥ１３９４規格に準拠して転送されるデジタルＡＶデータ）を無線で伝送したい要望が高まっている。
【００１７】
以下、上記の構成例を図２９に示すと共に、デジタルＡＶデータを無線送信する場合のデータの流れを、ＭＰＥＧデータを例にして説明する。
【００１８】
図２９は、図２７に示す１３９４ＬＳＩ１０と無線モジュールとを組み合わせることにより無線通信する場合の概略構成図である。
【００１９】
図２９に示すように、ＭＰＥＧ画像の再生及び録画が可能な１３９４機器（Ｄ−ＶＨＳ）２２と、１３９４ＬＳＩ１０とが、１３９４バス１８で接続されている。また、暗号化部２３を内蔵する無線モジュール２４と１３９４ＬＳＩ１０とが、外部バス２０で接続されている。
【００２０】
１３９４機器２２に保存されたＭＰＥＧデータを無線モジュール２４から無線送信する場合、まず、１３９４機器２２から１３９４バス１８を通じて送信されたＭＰＥＧデータは、１３９４ＬＳＩ１０において復号化される。その後、復号化されたＭＰＥＧデータは、外部バス２０を通じて１３９４ＬＳＩ１０から無線モジュール２４に出力される。無線モジュール２４に入力されたＭＰＥＧデータは、無線モジュール２４における暗号化部２３において再暗号化される。再暗号化されたＭＰＥＧデータは、無線モジュール２４から無線送信される。尚、暗号化部２３は、無線モジュール２４の外側にあってもよい。
【００２１】
以下、上記のＭＰＥＧデータの流れを図３０に示す１３９４ＬＳＩ１０を用いて具体的に説明する。
【００２２】
図３０は、図２９に示す無線通信の概略構成を具体的に示すブロック図である。
【００２３】
図３０に示すように、まず、１３９４機器２２から送信されたＭＰＥＧデータ（暗号化されている）は、１３９４端子１７に接続された１３９４バス１８を通じて１３９４ＬＳＩ１０において受信される。その後、物理層１１、及びリンク層１２を経由したＭＰＥＧデータは、ＡＫＥアクセラレータ１５で生成された復号化鍵により、アイソクロナス処理ブロック１３において復号化される。その後、外部バス２０を通じて無線モジュール２４に出力される。外部バス２０を通じて無線モジュール２４に入力されたＭＰＥＧデータは、無線モジュール２４を構成する暗号化部２３において再暗号化される。そして、再暗号化されたＭＰＥＧデータは無線モジュール２４から無線送信される。
【００２４】
このように、従来の１３９４ＬＳＩ１０を用いた無線通信によると、１３９４ＬＳＩ１０から無線モジュール２４に出力されるデジタルＡＶデータは、１３９４ＬＳＩ１０において復号化されている。このため、例えば１３９４ＬＳＩ１０と無線モジュール２４とを接続する外部バス２０に何らかのプローブを当てられると、外部バス２０を経由して伝送されるデジタルＡＶデータを第三者により容易に不正コピー又は盗聴される恐れがある。
【００２５】
その解決方法の一例として、２つの暗号回路を有する装置、具体的には暗号化されたデータを復号化する暗号復号化部と、復号化されたデータを更に暗号化する暗号化部とを有する中継装置が提案されている（例えば特許文献１参照）。これによると、１３９４バスを通じて中継装置が受信した暗号化されたデータを、中継装置を構成する暗号復号化部において復号化した後、更に暗号化部において再暗号化して出力することができるため、不正コピー又は盗聴行為を防止することができる。
【００２６】
【特許文献１】
特開２０００−１７４７９７号公報
【非特許文献１】
松下電器産業株式会社、“デジタルＡＶ機器向けＩＥＥＥ１３９４インターフェイスＬＳＩを開発”、［ｏｎ  ｌｉｎｅ  ］、平成１３年１月１７日、松下電器産業株式会社、［平成１５年４月７日検索］、インターネット  ＜ＵＲＬ：ｈｔｔｐ：／／ｍａｔｓｕｓｈｉｔａ．ｃｏ．ｊｐ／ｃｏｒｐ／ｎｅｗｓ／ｏｆｆｉｃｉａｌ．ｄａｔａ／ｄａｔａ．ｄｉｒ／ｊｎ０１０１１７−１／ｊｎ０１０１１７−１．ｈｔｍｌ＞
【００２７】
【発明が解決しようとする課題】
しかしながら、図２７に示すような従来技術（ＭＮ８６４６０２）においては、暗号化する機能と復号化する機能とを１つのブロックとしてのアイソクロナス処理ブロック１３（１３ａ又は１３ｂ）が併せ持っている。このため、特許文献１の中継装置をそのまま従来の１３９４ＬＳＩ１０に適用すると、１つのアイソクロナス処理ブロック（１３ａ及び１３ｂ）に送信時及び受信時に対応した２つの暗号回路を更に設ける必要がある。その結果、２つのデジタルＡＶデータを独立に処理できる構成とすると、１３９４ＬＳＩ１０には合計で４つの暗号回路を新たに追加する必要がある。これは、回路規模の増大につながる。したがって、暗号回路を追加することにより不正コピーを防止するのは、実用的であるとは言い難い。
【００２８】
前記に鑑み、本発明は、無線通信装置と接続した場合においても、１３９４バス上におけるデジタルＡＶコンテンツデータの著作権保護の実効を図ることができる１３９４ＬＳＩを、回路規模を増大させることなく実現することを目的とする。
【００２９】
【課題を解決するための手段】
本発明の第１のデータ送受信装置は、データの暗号化又は復号化を行なう少なくとも第１の暗号化復号化手段及び第２の暗号化復号化手段と、データの送受信を行なう送受信手段とを備え、第１の送信状態では、第１の暗号化復号化手段又は第２の暗号化復号化手段により暗号化された第１の送信データが送受信手段によって送信され、第１の受信状態では、送受信手段によって受信された第１の受信データが第１の暗号化復号化手段又は第２の暗号化復号化手段により復号化され、第２の送信状態では、第１の暗号化復号化手段により復号化された第２の送信データが、第２の暗号化復号化手段により暗号化された後、送受信手段によって送信され、第２の受信状態では、送受信手段によって受信された第２の受信データが第２の暗号化復号化手段により復号化された後、第１の暗号化復号化手段により暗号化されることを特徴とするデータ送受信装置である。
【００３０】
第１のデータ送受信装置によると、データの送受信を行なう送受信手段と、データの暗号化又は復号化を行なう複数の暗号化復号化手段とを備えているため、例えば暗号化されていないデータが入力された場合、第１の送信状態における送信を行なうことにより、その入力されたデータ（第１の送信データ）を暗号化してから送信することができる。また、例えば著作権を保護する必要のないデータを受信した場合は、第１の受信状態における受信を行なうことにより、その受信したデータ（第１の受信データ）を復号化してから出力することができる。よって、著作権を保護する必要のないデータ又は機密性のないデータ等を他の外部装置との間で入出力する場合に適したデータの送受信を行なうことができる。
【００３１】
また、第１のデータ送受信装置によると、例えば暗号化されたデータが入力された場合、第２の送信状態における送信を行なうことにより、その入力されたデータ（第２の送信データ）を復号化した後、再暗号化してから送信することができる。また、例えばその著作権を保護する必要のあるデータを受信した場合は、第２の受信状態における受信を行なうことにより、その受信したデータ（第２の受信データ）を復号化した後、更に再暗号化してから出力することができる。このため、他の外部装置との間でデータの入出力を行なう場合であっても、その外部装置との間で入出力されるデータを第三者により不正コピー又は盗聴されることを防止することができる。言い換えると、その外部装置との間で入出力されるデータの著作権を保護することができる。すなわち、本発明のデータ送受信装置に接続されたネットワーク上におけるデータの著作権保護のロバストネス（堅牢性）を守ることができる。
【００３２】
また、第１のデータ送受信装置によると、不正コピー又は盗聴行為を防止するために必要なデータの再暗号化を、データ伝送経路を切り替えることにより実現している。このため、データを再暗号化するための暗号回路を新たに追加する必要がない。すなわち、回路規模を増大させることなく著作権を保護することができる。また、新たな暗号回路を追加する必要がないため、新たな送受信回路を設計する必要がない。言い換えると、送信データ又は受信データを再暗号化するための専用の送受信回路を新たに設計する必要がない。したがって、回路設計の期間を短縮化することができると共に、設計コストを削減することができる。
【００３３】
第１のデータ送受信装置における第２の送信状態において、第２の送信データは第１の暗号化復号化手段により第１の鍵で復号化された後、第２の暗号化復号化手段により第２の鍵で暗号化されることが好ましい。
【００３４】
このようにすると、第２の送信状態において、暗号化された第２の送信データを第１の鍵で復号化した後、第２の送信データを暗号化していた暗号化鍵とは異なる第２の鍵で再暗号化することができる。よって、本発明のデータ送受信装置に接続されたネットワーク上におけるデータの著作権保護のロバストネスを確実に守ることができる。
【００３５】
第１のデータ送受信装置における第２の受信状態において、第２の受信データは第２の暗号化復号化手段により第３の鍵で復号化された後、第１の暗号化復号化手段により第４の鍵で暗号化されることが好ましい。
【００３６】
このようにすると、第２に受信状態において、暗号化された第２の受信データを第３の鍵で復号化した後、第２の受信データを暗号化していた暗号化鍵とは異なる第４の鍵で再暗号化することができる。よって、本発明のデータ送受信装置に接続されたネットワーク上におけるデータの著作権保護のロバストネスを確実に守ることができる。
【００３７】
第１のデータ送受信装置において、第１の送信状態におけるデータ伝送経路と第２の送信状態におけるデータ伝送経路とを、又は第１の受信状態におけるデータ伝送経路と第２の受信状態におけるデータ伝送経路とを相互に切り替えるための切り替え手段を更に備えていることが好ましい。
【００３８】
このようにすると、暗号化されていない第１の送信データを暗号化してから送信する第１の送信状態におけるデータ伝送経路と、暗号化された第２の送信データを再暗号化してから送信する第２の送信状態におけるデータ伝送経路とを相互に切り替えることができる。また、暗号化された第１の受信データを復号化してから出力する第１の受信状態におけるデータ伝送経路と、暗号化された第２の受信データを再暗号化してから出力する第２の受信状態におけるデータ伝送経路とを相互に切り替えることができる。よって、送受信されるデータの著作権保護の必要性、又はその機密性等に応じたデータ保護を行なうことができる。
【００３９】
データ伝送経路の切り替え手段を備えている場合、切り換え手段は、第１の暗号化復号化手段と送受信手段との間のデータ伝送経路上に設けられた第１のセレクタと、第２の暗号化復号化手段と送受信手段との間のデータ伝送経路を経由して該第２の暗号化復号化手段から出力されたデータのデータ伝送経路上に設けられた第２のセレクタとから構成され、第２の送信状態では、第２の送信データが、第１の暗号化復号化手段、第１のセレクタ、第２のセレクタ、第２の暗号化復号化手段、及び送受信手段を順に経由するデータ伝送経路に切り替えられ、第２の受信状態では、第２の受信データが、送受信手段、第２の暗号化復号化手段、第２のセレクタ、第１のセレクタ、及び第１の暗号化復号化手段を順に経由するデータ伝送経路に切り替えられることが好ましい。
【００４０】
このようにすると、第１のセレクタ及び第２のセレクタによってデータ伝送経路を切り替えることにより、第１の送信状態及び第１の受信状態におけるデータ伝送経路と、第２の送信状態及び第２の受信状態におけるデータ伝送経路とを相互に切り替えることができる。よって、送受信されるデータの著作権保護の必要性、又はその機密性等に応じたデータの保護を確実に行なうことができる。
【００４１】
また、データ伝送経路の切り替え手段を備えている場合、切り替え手段は、第１の暗号化復号化手段と送受信手段との間のデータ伝送経路上に設けられた第１のスイッチと、第２の暗号化復号化手段と送受信手段との間のデータ伝送経路を経由して該第２の暗号化復号化手段から出力されたデータのデータ伝送経路上に設けられた第２のスイッチと、第１の暗号化復号化手段と第１のスイッチとの間のデータ伝送経路と、第２の暗号化復号化手段と第２のスイッチとの間のデータ伝送経路とを接続するデータ伝送経路上に設けられた第３のスイッチとを備え、第１〜第３のスイッチのそれぞれのＯＮ状態又はＯＦＦ状態を組み合わせることにより、第２の送信状態では、第２の送信データが、第１の暗号化復号化手段、第３のスイッチ、第２の暗号化復号化手段、及び送受信手段を順に経由するデータ伝送経路に切り替えられ、第２の受信状態では、第２の受信データが、送受信手段、第２の暗号化復号化手段、第３のスイッチ、及び第１の暗号化復号化手段を順に経由するデータ伝送経路に切り替えられることが好ましい。
【００４２】
このようにすると、ＯＮ状態又はＯＦＦ状態の第１のスイッチ〜第３のスイッチを組み合わせることにより、第１の送信状態及び第１の受信状態におけるデータ伝送経路と、第２の送信状態及び第２の受信状態におけるデータ伝送経路とを相互に切り替えることができる。よって、送受信されるデータの著作権保護の必要性、又はその機密性等に応じたデータの保護を確実に行なうことができる。また、例えば第１のスイッチ及び第２のスイッチをそれぞれＯＮ状態にすると共に、第３のスイッチをＯＦＦ状態にすることにより、例えば第１の送信状態と第２の送信状態における送信とを同時に行なうことができる。
【００４３】
本発明の第２のデータ送受信装置は、データの暗号化又は復号化を行なう少なくとも第１の暗号化復号化手段及び第２の暗号化復号化手段と、データの送受信を行なう送受信手段とを備え、第１の送信状態では、第１の暗号化復号化手段又は第２の暗号化復号化手段により暗号化された第１の送信データが送受信手段によって送信され、第１の受信状態では、送受信手段によって受信された第１の受信データが第１の暗号化復号化手段又は第２の暗号化復号化手段により復号化され、第２の送信状態では、送受信手段によって受信された第２の送信データが、第１の暗号化復号化手段により復号化された後、第２の暗号化復号化手段により暗号化され、その後、送受信手段によって送信されることを特徴とするデータ送受信装置を特徴とするデータ送受信装置である。
【００４４】
第２のデータ送受信装置によると、暗号化されたデータを受信した場合、第２の送信状態における送信を行なうことにより、受信したデータ（第２の送信データ）を復号化した後、再暗号化してから送信できる。このため、例えば再暗号化する機能を持たない他の外部装置に保存されたデータであっても、そのデータは第２の送信状態における第２のデータ送受信装置を介することにより再暗号化される。つまり、第２のデータ送受信装置を再暗号化装置として機能させることができる。このため、外部装置に接続されたネットワーク上におけるデータの著作権保護のロバストネスを守ることができる。
【００４５】
第２のデータ送受信装置の第２の送信状態における送信を行なう場合、第２の送信データは第１の暗号化復号化手段により第５の鍵で復号化された後、第２の暗号化復号化手段により第６の鍵で暗号化されることが好ましい。
【００４６】
このようにすると、第２の送信状態において、暗号化された第２の送信データを第５の鍵で復号化した後、第２の送信データを暗号化していた暗号化鍵とは異なる第６の鍵で再暗号化することができる。よって、前述の効果が確実に得られる。
【００４７】
また、第２のデータ送受信装置の第２の送信状態における送信を行なう場合、第１の暗号化復号化手段と送受信手段との間のデータ伝送経路を経由して該第１の暗号化復号化手段から出力されたデータのデータ伝送経路上に設けられた第１のセレクタと、第１の暗号化復号化手段と送受信手段との間のデータ伝送経路を経由して該第２の暗号化復号化手段から出力されたデータのデータ伝送経路上に設けられた第２のセレクタとを更に備え、第２の送信状態では、第２の送信データが、送受信手段、第１の暗号化復号化手段、第１のセレクタ、第２のセレクタ、第２の暗号化復号化手段、及び送受信手段を順に経由するデータ伝送経路に切り替えられることが好ましい。
【００４８】
このようにすると、第１のセレクタ及び第２のセレクタによってデータ伝送経路を切り替えることにより、第１の送信状態及び第１の受信状態におけるデータ伝送経路と、第２の送信状態におけるデータ伝送経路とを相互に切り替えることができる。よって、前述の効果が確実に得られる。
【００４９】
第１又は第２のデータ送受信装置において、第１の暗号化復号化手段及び第２の暗号化復号化手段により行なわれる暗号化又は復号化のための鍵の種類を選択し、又は該鍵を該複数の暗号化復号化手段に設定するか否かを決定する鍵設定制御部を更に備えていることが好ましい。
【００５０】
このようにすると、データの暗号化又は復号化を行なうための鍵の種類を、鍵設定制御部において選択することができるため、送受信されるデータの重要度に応じて、又は送信先若しくは出力先の外部機器の暗号化又は復号化形式等に応じてデータの著作権を適宜保護することができる。したがって、第１又は第２のデータ送受信装置に接続されたネットワーク上におけるデータの著作権保護のロバストネスを確実に守ることができる。また、データの暗号化又は復号化のための鍵を設定するか否かを、鍵設定制御部において選択することができるため、データを暗号化又は復号化する必要がない場合にも対応することができる。
【００５１】
第１又は第２のデータ送受信装置において、セレクタを備える場合、第１及び第２のセレクタによって行なわれるデータ伝送経路の切り替えを決定するセレクタ制御部を更に備えていることが好ましい。
【００５２】
このようにすると、第１及び第２のセレクタによって行なわれるデータ伝送経路の切り替えをセレクタ制御部によって決定することができるため、第１のデータ送受信装置においては、第１の送信状態及び第１の受信状態におけるデータ伝送経路と、第２の送信状態及び第２の受信状態におけるデータ伝送経路との相互の切り替えを任意に且つ確実に行なうことができる。また同様に、第２のデータ送受信装置においては、第１の送信状態及び第１の受信状態におけるデータ伝送経路と、第２の送信状態におけるデータ伝送経路との相互の切り替えも任意に且つ確実に行なうことができる。
【００５３】
セレクタ制御部を備える場合、第１及び第２のセレクタの動作を決定するための情報を書き込むレジスタが、セレクタ制御部に設けられていることが好ましい。
【００５４】
このようにすると、例えば第１及び第２のセレクタのいずれかに対応するレジスタに、データ伝送経路を切り替えるための命令を書き込むことができるため、データ伝送経路の切り替えを確実に制御することができる。また、データ伝送経路の切り替えを第１又は第２のデータ送受信装置の内部で制御することができる。
【００５５】
第１のデータ送受信装置において、スイッチを備える場合、第１〜第３のスイッチによって行なわれるデータ伝送経路の切り替えを決定するスイッチ制御部を更に備えていることが好ましい。
【００５６】
このようにすると、第１〜第３のスイッチによって行なわれるデータ伝送経路の切り替えをスイッチ制御部によって決定することができるため、第１の送信状態及び第１の受信状態におけるデータ伝送経路と、第２の送信状態及び第２の受信状態におけるデータ伝送経路との相互の切り替えを任意に且つ確実に行なうことができる。
【００５７】
スイッチ制御部を備える場合、第１〜第３のスイッチの動作を決定するための情報を書き込むレジスタが、スイッチ制御部に設けられていることが好ましい。
【００５８】
このようにすると、例えば第１〜第２のスイッチのいずれかに対応するレジスタに、データ伝送経路を切り替えるための命令を書き込むことができるため、データ伝送経路の切り替えを確実に制御することができる。また、データ伝送経路の切り替えを第１のデータ送受信装置の内部で制御することができる。
【００５９】
第１又は第２のデータ送受信装置において、送受信手段は少なくとも第１の送受信手段及び第２の送受信手段により構成され、
第１の送受信手段によって行なわれる第１の送信データの第１の送信状態における送信と、第２の送受信手段によって行なわれる第１の受信データの第１の受信状態における受信とが、同時に行なわれることが好ましい。
【００６０】
このようにすると、送受信手段が複数の送受信手段から構成されるため、第１の送信状態において暗号化した第１の送信データを送信することと、第１の受信状態において復号化した第１の受信データを出力することとを、それぞれ独立に且つ同時に行なうことができる。
【００６１】
本発明の第３のデータ送受信装置は、データの暗号化又は復号化を行なう少なくとも第１の暗号化復号化手段及び第２の暗号化復号化手段と、データの送受信を行なう送受信手段と、外部装置との間でデータの入出力を行う入出力インターフェイスと、送受信手段と第１の暗号化復号化手段との間のデータ伝送経路上に配置された第１の切り替え手段と、入出力インターフェイスと第２の暗号化復号化手段との間のデータ伝送経路上に配置された第２の切り替え手段とを少なくとも備え、第１の切り替え手段は、該第１の切り替え手段と第１の暗号化復号化手段との間のデータ伝送経路を、該第１の切り替え手段と送受信手段との間のデータ伝送経路、又は該第１の切り替え手段と第２の切り替え手段との間のデータ伝送経路に接続するように動作し、第２の切り替え手段は、該第２の切り替え手段と第２の暗号化復号化手段との間のデータ伝送経路を、該第２の切り替え手段と入出力インターフェイスとの間のデータ伝送経路、又は該第２の切り替え手段と第１の切り替え手段との間のデータ伝送経路に接続するように動作することを特徴とするデータ送受信装置である。
【００６２】
第３のデータ送受信装置によると、データ伝送経路を切り替える第１の切り替え手段を備えているため、この第１の切り替え手段を動作させることにより、第１の切り替え手段と第１の暗号化復号化手段との間のデータ伝送経路を、第１の切り替え手段と送受信手段との間のデータ伝送経路、及び第１の切り替え手段と第２の切り替え手段との間のデータ伝送経路のいずれか又は両方に接続させることができる。同様に、データ伝送経路を切り替える第２の切り替え手段を備えているため、この第１の切り替え手段を動作させることにより、第２の切り替え手段と第２の暗号化復号化手段との間のデータ伝送経路を、第２の切り替え手段と入出力インターフェイスとの間のデータ伝送経路、及び第２の切り替え手段と第１の切り替え手段との間のデータ伝送経路のいずれか又は両方に接続させることができる。このため、例えば、入出力インターフェイスに入力された暗号化されていないデータを第１の暗号化復号化手段により暗号化した後、第１の切り替え手段を経由させ、その後、送受信手段によって送信することができる。また、送受信手段によって受信された暗号化されたデータを第２の暗号化復号化手段により復号化した後、第２の切り替え手段を経由させ、その後、入出力インターフェイスから出力することができる。このため、著作権を保護する必要のないデータ又は機密性のないデータ等を他の外部装置との間で入出力する場合に適したデータの送受信を行なうことができる。
【００６３】
また、第３のデータ送受信装置によると、入出力インターフェイスに入力された暗号化されたデータを第１の暗号化復号化手段により復号化した後、第１及び第２の切り替え手段を順に経由させ、その後、第２の暗号化復号化手段により再暗号化し、その後、送受信手段によって送信することができる。また、送受信手段によって受信された暗号化されたデータを第２の暗号化復号化手段により復号化した後、第２及び第１の切り替え手段を順に経由させ、その後、第１の暗号化復号化手段により再暗号化し、その後、入出力インターフェイスから出力することができる。このため、他の外部装置との間でデータの入出力を行なう場合であっても、その外部装置との間で入出力されるデータを第三者により不正コピー又は盗聴されることを防止することができる。言い換えると、その外部装置との間で入出力されるデータの著作権を保護することができる。すなわち、本発明の第３のデータ送受信装置に接続されたネットワーク上におけるデータの著作権保護のロバストネス（堅牢性）を守ることができる。
【００６４】
また、第３のデータ送受信装置によると、例えば、送受信手段によって受信された暗号化されたデータを、第２の暗号化復号化手段により復号化した後、入出力インターフェイスから出力することと、第２の暗号化復号化手段により復号化した後、第１の暗号化復号化手段により再暗号化し、その後、入出力インターフェイスから出力することとを同時に行なうことができる。
【００６５】
本発明の第４のデータ送受信装置は、データの暗号化又は復号化を行なう少なくとも第１の暗号化復号化手段及び第２の暗号化復号化手段と、データの送受信を行なう送受信手段と、外部装置との間でデータの入出力を行なう入出力インターフェイスと、入出力インターフェイスと第１の暗号化復号化手段との間のデータ伝送経路上に配置された第１の切り替え手段と、入出力インターフェイスと第２の暗号化復号化手段との間のデータ伝送経路上に配置された第２の切り替え手段とを少なくとも備え、第１の切り替え手段は、該第１の切り替え手段と第１の暗号化復号化手段との間のデータ伝送経路を、該第１の切り替え手段と入出力インターフェイスとの間のデータ伝送経路、又は該第１の切り替え手段と第２の切り替え手段との間のデータ伝送経路に接続するように動作し、第２の切り替え手段は、該第２の切り替え手段と第２の暗号化復号化手段との間のデータ伝送経路を、該第２の切り替え手段と入出力インターフェイスとの間のデータ伝送経路、又は該第２の切り替え手段と第１の切り替え手段との間のデータ伝送経路に接続するように動作することを特徴とするデータ送受信装置である。
【００６６】
第４のデータ送受信装置によると、データ伝送経路を切り替える第１の切り替え手段を備えているため、この第１の切り替え手段を動作させることにより、第１の切り替え手段と第１の暗号化復号化手段との間のデータ伝送経路を、第１の切り替え手段と入出力インターフェイスとの間のデータ伝送経路、及び第１の切り替え手段と第２の切り替え手段との間のデータ伝送経路のいずれか又は両方に接続させることができる。同様に、データ伝送経路を切り替える第２の切り替え手段を備えているため、この第１の切り替え手段を動作させることにより、第２の切り替え手段と第２の暗号化復号化手段との間のデータ伝送経路を、第２の切り替え手段と入出力インターフェイスとの間のデータ伝送経路、及び第２の切り替え手段と第１の切り替え手段との間のデータ伝送経路のいずれか又は両方に接続させることができる。このため、例えば、入出力インターフェイスに入力された暗号化されていないデータを、第１の切り替え手段を経由させた後、第１の暗号化復号化手段により暗号化し、その後、送受信手段によって送信することができる。また、送受信手段によって受信された暗号化されたデータを第２の暗号化復号化手段により復号化した後、第２の切り替え手段を経由させ、その後、入出力インターフェイスから出力することができる。このため、著作権を保護する必要のないデータ又は機密性のないデータ等を他の外部装置との間で入出力する場合に適したデータの送受信を行なうことができる。
【００６７】
また、第４のデータ送受信装置によると、送受信手段によって受信された暗号化されたデータを第１の暗号化復号化手段により復号化した後、第１及び第２の切り替え手段を順に経由させ、その後、第２の暗号化復号化手段により再暗号化し、その後、送受信手段によって送信することができる。このため、例えば再暗号化する機能を持たない他の外部装置に保存されたデータであっても、そのデータは本発明の第４のデータ送受信装置を介することにより再暗号化される。つまり、本発明の第４のデータ送受信装置を再暗号化装置として機能させることができる。このため、外部装置に接続されたネットワーク上におけるデータの著作権保護のロバストネスを守ることができる。
【００６８】
第１〜第４のデータ送受信装置は、それぞれ１つの集積回路上に集積されていることが好ましい。
【００６９】
このようにすると、第１〜第４のデータ送受信装置をそれぞれ１つの集積回路上に集積したＬＳＩにすることができる。このため、例えば第２の受信状態において、第２の受信データが復号化されてから再暗号化されるまでの間に、その第２の受信データを第三者により不正コピー又は盗聴されることがない。
【００７０】
第１〜第４のデータ送受信装置におけるそれぞれの送受信手段において、ＩＥＥＥ１３９４規格に準拠した送受信が行なわれることが好ましい。
【００７１】
このようにすると、送受信手段によってＩＥＥＥ１３９４規格に準拠した送受信が行なわれるため、例えばＩＥＥＥ１３９４規格に準拠して暗号化されたデータを受信した場合であっても、第２の受信状態における受信を行なうことにより、再暗号化されたデータ（第２の受信データ）を出力することができる。このため、出力された後における第２の受信データを、不正コピー又は盗聴されることを防止することができる。すなわち、ＩＥＥＥ１３９４ネットワークにおいて保護されていたデータの著作権を、出力した後においても保護することができる。よって、無線装置との間でデータの入出力を行なう場合であっても、ＩＥＥＥ１３９４ネットワーク上におけるデータの著作権保護のロバストネスを確実に守ることができる。
【００７２】
本発明のデータ送受信システムは、データの暗号化又は復号化を行なう少なくとも第１の暗号化復号化手段及び第２の暗号化復号化手段と、データの送受信を行なう送受信手段とを備えた第１のデータ送受信装置と、データの送受信を行なう第２のデータ送受信装置とから構成され、第１の送信状態では、第２のデータ送受信装置によって受信された第１の送信データが、第１のデータ送受信装置に出力された後、第１の暗号化復号化手段又は第２の暗号化復号化手段により復号化され、その後、送受信手段によって送信され、第１の受信状態では、送受信手段によって受信された第１の受信データが第１の暗号化復号化手段又は第２の暗号化復号化手段により復号化された後、第２のデータ送受信装置に出力され、その後、第２のデータ送受信装置によって送信され、第２の送信状態では、第２のデータ送受信装置によって受信された第２の送信データが、第１のデータ送受信装置に出力された後、第１の暗号化復号化手段により復号化され、その後、第２の暗号化復号化手段により暗号化され、その後、送受信手段によって送信され、第２の受信状態では、送受信手段によって受信された第２の受信データが、第２の暗号化復号化手段により復号化された後、第１の暗号化復号化手段により暗号化され、その後、第２のデータ送受信装置に出力され、その後、第２のデータ送受信装置によって送信されることを特徴とするデータ送受信システムである。
【００７３】
本発明のデータ送受信システムによると、第１のデータ送受信装置が、データの送受信を行なう送受信手段と、データの暗号化又は復号化を行なう複数の暗号化復号化手段とを備えているため、例えば第２のデータ送受信装置によって受信された暗号化されていないデータが第１のデータ送受信装置に入力された場合、第１の送信状態における送信を行なうことにより、第１のデータ送受信装置に入力されたデータ（第１の送信データ）を暗号化してから送信することができる。また、例えば第１のデータ送受信装置における送受信装置によって著作権を保護する必要のないデータを受信した場合は、第１の受信状態における受信を行なうことにより、その受信したデータ（第１の受信データ）を復号化してから第２のデータ送受信装置に出力することができる。よって、著作権を保護する必要のないデータ又は機密性のないデータ等を入出力する場合に適した入出力を、第１のデータ送受信装置と第２のデータ送受信装置との間で実現することができる。
【００７４】
また、本発明のデータ送受信システムによると、例えば第２のデータ送受信装置によって受信された暗号化されたデータが第１のデータ送受信装置に入力された場合は、第２の送信状態における送信を行なうことにより、その入力されたデータ（第２の送信データ）を再暗号化してから送信することができる。また、例えば第１のデータ送受信装置における送受信手段によって著作権を保護する必要のあるデータを受信した場合は、第２の受信状態における受信を行なうことにより、その受信したデータ（第２の受信データ）を再暗号化してから第２のデータ送受信装置に出力することができる。このため、第１のデータ送受信装置と第２のデータ送受信装置との間で入出力をする場合、入出力されるデータを第三者により不正コピー又は盗聴されることを防止することができる。言い換えると、第１のデータ送受信装置と第２のデータ送受信装置との間で入出力されるデータの著作権を保護することができる。すなわち、第１のデータ送受信装置及び第２のデータ送受信装置に接続されたネットワーク上におけるデータの著作権保護のロバストネス（堅牢性）を守ることができる。
【００７５】
本発明のデータ送受信システムにおいて、第１のデータ送受信装置は、第１の送信状態におけるデータ伝送経路と第２の送信状態におけるデータ伝送経路とを、又は第１の受信状態におけるデータ伝送経路と第２の受信状態におけるデータ伝送経路とを相互に切り替えるための切り替え手段を更に備えていることが好ましい。
【００７６】
このようにすると、第２のデータ送受信装置から第１のデータ送受信装置に暗号化されていないデータ（第１の送信データ）を出力する第１の送信状態におけるデータ伝送経路と、第２のデータ送受信装置から第１のデータ送受信装置に暗号化されたデータ（第２の送信データ）を入力する第２の送信状態におけるデータ伝送経路とを相互に切り替えることができる。また、第１のデータ送受信装置から第２のデータ送受信装置に暗号化されていないデータ（第１の受信データ）を出力する第１の受信状態におけるデータ伝送経路と、第１のデータ送受信装置から第２のデータ送受信装置に再暗号化されたデータ（第２の受信データ）を入力する第２の受信状態におけるデータ伝送経路とを相互に切り替えることができる。よって、第１のデータ送受信装置と第２のデータ送受信装置との間で入出力されるデータの著作権保護の必要性、又はその機密性等に応じたデータ保護を行なうことができる。
【００７７】
本発明のデータ送受信システムにおいて、第２の送信状態において、第２の送信データは第１の暗号化復号化手段により第７の鍵で復号化された後、第２の暗号化復号化手段により第８の鍵で暗号化されることが好ましい。
【００７８】
このようにすると、第２の送信状態において、暗号化された第２の送信データを第７の鍵で復号化した後、第２の送信データを暗号化していた暗号化鍵とは異なる第８の鍵で再暗号化することができる。よって、第１のデータ送受信装置及び第２のデータ送受信装置に接続されたネットワーク上におけるデータの著作権保護のロバストネスを確実に守ることができる。
【００７９】
本発明のデータ送受信システムにおいて、第２の受信状態において、第２の受信データは第２の暗号化復号化手段により第９の鍵で復号化された後、第１の暗号化復号化手段により第１０の鍵で暗号化されることが好ましい。
【００８０】
このようにすると、第２に受信状態において、暗号化された第２の受信データを第９の鍵で復号化した後、第２の受信データを暗号化していた暗号化鍵とは異なる第１０の鍵で再暗号化することができる。よって、第１のデータ送受信装置及び第２のデータ送受信装置に接続されたネットワーク上におけるデータの著作権保護のロバストネスを確実に守ることができる。
【００８１】
本発明のデータ送受信システムの第１のデータ送受信装置における送受信手段によって、ＩＥＥＥ１３９４規格に準拠した送受信が行なわれることが好ましい。
【００８２】
このようにすると、送受信手段によって、ＩＥＥＥ１３９４規格に準拠した送受信が行なうことができるため、ＩＥＥＥ１３９４規格に準拠して保護されていたデータの著作権を、第１のデータ送受信装置と第２のデータ送受信装置との間においても保護することができる。すなわち、第１のデータ送受信装置に接続されたＩＥＥＥ１３９４ネットワーク上におけるデータの著作権保護のロバストネスを守ることができる。
【００８３】
本発明のデータ送受信システムの第２のデータ送受信装置によって、ＩＥＥＥ８０２．１１規格に準拠した送受信が行なわれることが好ましい。
【００８４】
このようにすると、第２のデータ送受信装置によって、ＩＥＥＥ８０２．１１規格に準拠した送受信を行なうことができる。このため、ＩＥＥＥ８０２．１１規格に準拠して無線送信する場合であっても、ＩＥＥＥ８０２．１１規格に準拠して保護されていたデータの著作権を、第１のデータ送受信装置と第２のデータ送受信装置との間においても保護することができる。すなわち、第２のデータ送受信装置に接続されたＩＥＥＥ８０２．１１ネットワーク上におけるデータの著作権保護のロバストネスを守ることができる。また、例えば第１のデータ送受信装置のＩＥＥＥ１３９４規格に準拠した送受信手段によって受信したデータを、第２のデータ送受信装置においてＩＥＥＥ８０２．１１規格に準拠して無線送信する場合であっても、その著作権を確実に守ることができる。
【００８５】
本発明のデータ送受信システムにおいて、第２の送信状態における第２の送信データがされる復号化と、第２の受信状態における第２の受信データがされる暗号化とが、ＩＥＥＥ８０２．１１規格に準拠していることが好ましい。
【００８６】
このようにすると、第１のデータ送受信装置において、ＩＥＥＥ８０２．１１規格に準拠した暗号化又は復号化を行なうことができるため、第２のデータ送受信装置においてＩＥＥＥ８０２．１１規格に準拠して暗号化又は復号化されたデータの無線の送受信を行なうことができる。
【００８７】
【発明の実施の形態】
（第１の実施形態）
以下、本発明の第１の実施形態に係るデータ送受信装置について図面を参照しながら説明する。
【００８８】
図１は、第１の実施形態に係るデータ送受信装置の構成を示すブロック図である。
【００８９】
図１に示すように、データ送受信装置１００は、データを送受信する送受信手段１０１と、データの暗号化又は復号化を行なう第１の暗号化復号化手段１０３ａ及び第２の暗号化復号化手段１０３ｂと、データの入出力が行なわれる第１の入出力インターフェイス１０６ａ及び第２の入出力インターフェイス１０６ｂとから構成される。
【００９０】
また、送受信手段１０１は、更に第１の送受信手段１０２ａと第２の送受信手段１０２ｂとから構成される。第１の暗号化復号化手段１０３ａは、データの復号化を行なう第１のデコーダ１０４ａと、データの暗号化を行なう第１のエンコーダ１０５ａとから構成される。第２の暗号化復号化手段１０３ｂは、データの復号化を行なう第２のデコーダ１０４ｂと、データの暗号化を行なう第２のエンコーダ１０５ｂとから構成される。
【００９１】
また、第１の暗号化復号化手段１０３ａと第２の暗号化復号化手段１０３ｂとは、データ伝送経路１５０により接続されている。
【００９２】
以下、図１に示すデータ送受信装置１００に入力されたデータ（送信データ）が送信されるまにおけるデータ伝送経路、及び受信されたデータ（受信データ）が出力されるまにおけるデータ伝送経路について説明する。
【００９３】
図２は、暗号化されていない第１の送信データを暗号化して送信する第１の送信状態におけるデータ伝送経路１５０ａ、及び暗号化された第１の受信データを復号化して出力する第１の受信状態におけるデータ伝送経路１５０ｂを示す図である。
【００９４】
また、図３は、暗号化された第２の送信データを再暗号化して送信する第２の送信状態におけるデータ伝送経路１５１ａ、及び暗号化された第２の受信データを再暗号化して出力する第２の受信状態におけるデータ伝送経路１５１ｂを示す図である。
【００９５】
図２に示すように、第１の送信状態（データ伝送経路１５０ａ）では、第１の入出力インターフェイス１０６ａに入力された第１の送信データは、第１の暗号化復号化手段１０３ａにおける第１のエンコーダ１０５ａにより暗号化された後、第１の送受信手段１０２ａによって送信される。一方、第１の受信状態（データ伝送経路１５０ｂ）では、第２の送受信手段１０２ｂによって受信された第１の受信データは、第２の暗号化復号化手段１０３ｂにおける第２のデコーダ１０４ｂにより復号化された後、第２の入出力インターフェイス１０６ｂから出力される。
【００９６】
また、図３に示すように、第２の送信状態（データ伝送経路１５１ａ）では、第１の入出力インターフェイス１０６ａに入力された第２の送信データは、第１の暗号化復号化手段１０３ａにおける第１のデコーダ１０４ａにより復号化された後、第２の暗号化復号化手段１０３ｂにおける第２のエンコーダ１０５ｂにより再暗号化され、その後、第２の送受信手段１０２ｂによって送信される。一方、第２の受信状態（データ伝送経路１５１ｂ）では、第２の送受信手段１０２ｂによって受信された第２の受信データは、第２の暗号化復号化手段１０３ｂにおける第２のデコーダ１０４ｂにより復号化された後、第１の暗号化復号化手段１０３ａにおける第１のエンコーダ１０５ａにより再暗号化され、その後、第１の入出力インターフェイス１０６ａから出力される。
【００９７】
次に、第２の送信状態及び第２の受信状態において行なわれる暗号化又は復号化のための鍵について説明する。
【００９８】
図４は、第２の送信状態における第１のデコーダ１０４ａにより行なわれる第２の送信データの復号化のための復号化鍵と、第２のエンコーダ１０５ｂにより行なわれる第２の送信データの暗号化のための暗号化鍵とを示す図である。
【００９９】
また、図５は、第２の受信状態における第２のデコーダ１０４ｂにより行なわれる第２の受信データの復号化のための復号化鍵と、第１のエンコーダ１０５ａにより行なわれる第２の受信データの暗号化のための暗号化鍵とを示す図である。
【０１００】
図４に示すように、第２の送信状態（データ伝送経路１５１ａ）では、第２の送信データは第１のデコーダ１０４ａにより第１の復号化鍵ＫｅｙＡで復号化された後、第２のエンコーダ１０５ｂにより第２の暗号化鍵ＫｅｙＢで暗号化される。一方、図５に示すように、第２の受信状態（データ伝送経路１５１ｂ）では、第２の受信データは第２のデコーダ１０４ｂにより第２の復号化鍵ＫｅｙＣで復号化された後、第１のエンコーダ１０５ａにより第１の暗号化鍵ＫｅｙＤで暗号化される。
【０１０１】
以上説明したように、第１の実施形態によると、データ送受信装置１００には、送受信手段、暗号化復号化手段、及び入出力インターフェイスをそれぞれ１つずつ含む組が２組備えられているため、第１の送信データを暗号化して送信する第１の送信状態における送信と、第１の受信データを復号化して出力する第１の受信状態における受信とを独立に行なうことができる。すなわち、第１の送信状態における送信と、第１の受信状態における受信とを別個独立に且つ同時に行なうことができる。したがって、送受信手段１０１に、例えばＤＶＤレコーダを接続した場合、ＤＶＤレコーダに記録されたＭＰＥＧ画像を再生して第１の入出力インターフェイス１０６ａに接続されたディスプレイ等に表示することと、第２の入出力インターフェイス１０６ｂに入力されたテレビ番組等をＤＶＤレコーダに録画することとを、独立に且つ同時に行なうことができる。また、他の外部装置との間で復号化されたままのデータを入出力することができるため、著作権を保護する必要のないデータ又は機密性のないデータ等を外部装置との間で入出力する場合に適したデータの送受信を行なうことができる。尚、上記の効果は、ＤＶＤレコーダに限られた効果ではなく、Ｂｌｕｅ−ｒａｙディスク等に記録するレコーダでも同様の効果を得ることができる。
【０１０２】
また、第１の実施形態によると、第２の送信状態においては、暗号化された第２の送信データを再暗号化してから送信することができ、一方、第２の受信状態においては、暗号化された第２の受信データを再暗号化してから出力することができる。このため、第１の入出力インターフェイス１０６ａ及び第２の入出力インターフェイス１０６ｂに接続された外部装置との間において入出力されるデータを常に暗号化しておくことができる。よって、データ送受信装置１００から出力された受信データを第三者により不正コピー、又は盗聴されることを防止できる。したがって、本実施形態に係るデータ送受信装置１００に接続されたネットワーク上におけるデータの著作権保護のロバストネスを守ることができる。
【０１０３】
また、第１の実施形態によると、第２の送信状態では、暗号化された第２の送信データを、第１の暗号化復号化手段１０３ａにおける第１のデコーダ１０４ａにおいて第１の復号化鍵ＫｅｙＡで復号化した後、第２の暗号化復号化手段１０３ｂにおける第２のエンコーダ１０５ｂにおいて、第２の送信データを暗号化していた暗号化鍵とは異なる第２の暗号化鍵ＫｅｙＢで再暗号化して送信することができる。一方、第２の受信状態では、暗号化された第２の受信データを、第２の暗号化復号化手段１０３ｂにおける第２のデコーダ１０４ｂにおいて第２の復号化鍵ＫｅｙＣで復号化した後、第１の暗号化復号化手段１０３ａにおける第１のエンコーダ１０５ａにおいて、第２の受信データを暗号化していた暗号化鍵とは異なる第１の暗号化鍵ＫｅｙＤで再暗号化して出力することができる。よって、本実施形態に係るデータ送受信装置１００に接続されたネットワーク上におけるデータの著作権保護のロバストネスを確実に守ることができる。
【０１０４】
また、第１の実施形態によると、第１の送信状態におけるデータ伝送経路と第２の送信状態におけるデータ伝送経路とを、又は第１の受信状態におけるデータ伝送経路と第２の受信状態におけるデータ伝送経路とを切り替えることにより、著作権保護の必要のないデータを出力する場合は、復号化したままの第１の受信データを出力することを選択できる。反対に、著作権保護の必要のあるデータを出力する場合は、再暗号化した後の第２の受信データを出力することができる。したがって、データの重要度に応じた入出力又は送受信を行なうことができる。
【０１０５】
また、第１の実施形態によると、データ伝送経路を切り替えることにより、送信データ又は受信データを再暗号化することができる。このため、送信データ又は受信データの再暗号化を実現するための暗号回路を新たに追加する必要がない。すなわち、回路規模を増大させる必要がない。よって、既存の回路規模を維持しながら、不正コピー又は盗聴行為を防止できるデータ送受信装置を実現することができる。また、新たな暗号回路を追加する必要がないため、新たな送受信回路を設計する必要がない。言い換えると、送信データ又は受信データを再暗号化するための専用の送受信装置を新たに設計する必要がない。したがって、送受信回路の設計期間を短縮化することができると共に、設計コストの削減を図ることができる。
【０１０６】
尚、第１の実施形態に係るデータ送受信装置１００は、１つの集積回路上に集積されていることが好ましい。
【０１０７】
このようにすると、データ送受信装置１００を１つの集積回路に集積したＬＳＩにすることができるため、例えば第２の暗号化復号化手段１０３ｂにより復号化された第２の受信データが、第１の暗号化復号化手段１０３ａにより再暗号化されるまでに、第三者により不正コピー又は盗聴されることを防止できる。
【０１０８】
また、第１の実施形態において、第２の送信状態では、第２の送信データを第１のデコーダ１０４ａにより復号化した後、第２のエンコーダ１０５ｂにより再暗号化したが、第２のデコーダ１０４ｂにより復号化した後、第１のエンコーダ１０５ａにより再暗号化してもよい。また、第２の受信状態では、第２の受信データを第２のデコーダ１０４ｂにより復号化した後、第１のエンコーダ１０５ａにより再暗号化したが、第１のデコーダ１０４ａにより復号化した後、第２のエンコーダ１０５ｂにより再暗号化してもよい。
【０１０９】
また、第１の実施形態のデータ送受信装置１００は、送受信手段、暗号化復号化手段、及び入出力インターフェイスをそれぞれ１つ含む組みを２組備えていたが、３組以上備えていてもよい。
【０１１０】
（第１の実施形態の変形例）
以下、本発明の第１の実施形態の変形例に係るデータ送受信装置について図面を参照しながら説明する。
【０１１１】
図６は、第１の実施形態の変形例に係るデータ送受信装置の構成を示すブロック図である。尚、図６において、図１に示す第１の実施形態に係るデータ送受信装置１００と同一の構成要素には同一の符号を付す。
【０１１２】
図６に示すように、第１の実施形態の変形例に係るデータ送受信装置１００ａの特徴は、図１に示す第１の実施形態に係るデータ送受信装置１００おける送受信手段１０１が、ＩＥＥＥ１３９４規格に準拠した第１の物理層１０１ａと、リンク層１０１ｂとから構成されている点にある。
【０１１３】
したがって、本変形例によると、ＩＥＥＥ１３９４規格に準拠した送受信を行なうことができるため、ＩＥＥＥ１３９４ネットワークから受信されたデータを、第１又は第２の入出力インターフェイス１０６ａ又は１０６ｂに接続された外部装置に出力する場合であっても、その受信データを再暗号化してからその外部装置に出力することができる。よって、ＩＥＥＥ１３９４ネットワーク上におけるデータの著作権保護のロバストネスを確実に守ることができる。
【０１１４】
（第２の実施形態）
以下、本発明の第２の実施形態に係るデータ送受信装置について図面を参照しながら説明する。
【０１１５】
第２の実施形態に係るデータ送受信装置の特徴は、図１に示す第１の実施形態に係るデータ送受信装置１００の構成に加えて、２つのセレクタを更に備えている点にある。図７にその構成を示す。
【０１１６】
図７は、第２の実施形態に係るデータ送受信装置の構成を示すブロック図である。尚、図７において、図１に示す第１の実施形態に係るデータ送受信装置１００と同一の構成要素には同一の符号を付す。
【０１１７】
図７に示すように、データ送受信装置２００は、第１の送受信手段１０２ａと第１の暗号化復号化手段１０３ａとの間のデータ伝送経路上に第１のセレクタ１２０ａと、第２の暗号化復号化手段１０３ｂと第２の入出力インターフェイス１０６ｂとの間のデータ伝送経路上に第２のセレクタ１２０ｂとを備えている。また、第１のセレクタ１２０ａと第２のセレクタ１２０ｂとは、データ伝送経路１６０により接続されている。
【０１１８】
尚、図７においては、第１のセレクタ１２０ａと第２のセレクタ１２０ｂとがデータ伝送経路１６０により直接接続されているが、データ伝送経路１６０内に他の回路ブロック（例えば更なる暗号化復号化手段、又はセレクタ等）が配置されていてもよい。
【０１１９】
次に、第１のセレクタ１２０ａ及び第２のセレクタ１２０ｂの具体的な動作について説明する。
【０１２０】
図８（ａ）は、第１のセレクタ１２０ａの具体的な動作を示す概念図である。また、図８（ｂ）は、第２のセレクタ１２０ｂの具体的な動作を示す概念図である。
【０１２１】
図８（ａ）に示すように、第１のセレクタ１２０ａには、３つのデータ伝送経路がある。αで示すデータ伝送経路上には第１の暗号化復号化手段１０３ａがあり、βで示すデータ伝送経路上には第２のセレクタ１２０ｂがあり、また、γで示すデータ伝送経路上には第１の送受信手段１０２ａがある。
【０１２２】
一方、図８（ｂ）に示すように、第２のセレクタ１２０ｂにも、３つのデータ伝送経路がある。αで示すデータ伝送経路上には第２の暗号化復号化手段１０３ｂがあり、βで示すデータ伝送経路上には第１のセレクタ１２０ａがあり、また、γで示すデータ伝送経路上には第２の入出力インターフェイス１０６ｂがある。
【０１２３】
このため、第１の実施形態において説明した第１の送信状態及び第１の受信状態を実現する場合、第１のセレクタ１２０ａは、γで示すデータ伝送経路とαで示すデータ伝送経路とがつながるように動作する。これにより、第１の送受信手段１０２ａと第１の暗号化復号化手段１０３ａとが接続される。一方、第１の送信状態及び第１の受信状態を実現する場合、第２のセレクタ１２０ｂは、αで示すデータ伝送経路とγで示すデータ伝送経路がつながるように動作する。これにより、第２の暗号化復号化手段１０３ｂと第２の入出力インターフェイス１０６ｂとが接続される。
【０１２４】
また、前述の第２の送信状態及び第２の受信状態における第１のセレクタ１２０ａ及び第２のセレクタ１２０ｂは、それぞれαで示すデータ伝送経路とβで示すデータ伝送経路とがつながるように動作する。これにより、第１の暗号化復号化手段１０３ａと第２の暗号化復号化手段１０３ｂとが接続される。
【０１２５】
以上説明した動作により、第１の送信状態では、第１の入出力インターフェイス１０６ａに入力された第１の送信データは、第１の暗号化復号化手段１０３ａ、及び第１のセレクタ１２０ａを順に経由して、第１の送受信手段１０２ａによって送信される。一方、第１の受信状態では、第２の送受信手段１０２ｂによって受信された第１の受信データは、第２の暗号化復号化手段１０３ｂ、及び第２のセレクタ１２０ｂを順に経由して第１の入出力インターフェイス１０６ａから出力される。
【０１２６】
また、第２の送信状態では、第１の入出力インターフェイス１０６ａに入力された第２の送信データは、第１の暗号化復号化手段１０３ａ、第１のセレクタ１２０ａ、第２のセレクタ１２０ｂ、及び第２の暗号化復号化手段１０３ｂを順に経由して、第２の送受信手段１０２ｂによって送信される。一方、第２の受信状態では、第２の送受信手段１０２ｂによって受信された第２の受信データは、第２の暗号化復号化手段１０３ｂ、第２のセレクタ１２０ｂ、第１のセレクタ１２０ａ、及び第１の暗号化復号化手段１０３ａを順に経由して第１の入出力インターフェイス１０６ａから出力される。
【０１２７】
このように、第２の実施形態によると、データ伝送経路を切り替える第１のセレクタ１２０ａと第２のセレクタ１２０ｂとを備えているため、第１の送信状態及び第１の受信状態におけるデータ伝送経路と、第２の送信状態及び第２の受信状態におけるデータ伝送経路との相互間の切り替えを容易に行なうことができる。よって、著作権保護の必要のないデータを入出力する場合は、第１の送信状態及び第１の受信状態を実現するデータ伝送経路を選択することにより、復号化されたままのデータを入出力することができる。反対に、著作権保護の必要のあるデータを入出力する場合は、第２の送信状態及び第２の受信状態を実現するデータ伝送経路を選択することにより、暗号化されたデータを安全に入出力することができる。
【０１２８】
また、第２の実施形態によると、送信データ又は受信データを再暗号化するという機能を、データ伝送経路を切り替えるセレクタにより実現させているため、再暗号化するための暗号回路を追加した再暗号化専用のデータ送受信装置を新たに設計する必要がない。また、送信データ又は受信データの再暗号化を実現するための暗号回路を新たに追加する必要がないため、既存の回路規模を維持することができる。したがって、送受信回路の設計期間を短縮化することができると共に、設計コストの削減を図ることができる。
【０１２９】
尚、第２の実施形態において、第１のセレクタ１２０ａは、第１の送受信手段１０２ａと第１の暗号化復号化手段１０３ａとの間のデータ伝送経路上に設けられていたが、第１の暗号化復号化手段１０３ａと第１の入出力インターフェイス１０６ａとの間のデータ伝送経路上に設けられていてもよい。この場合、第２のセレクタ１２０ｂは、第２の送受信手段１０２ｂと第２の暗号化復号化手段１０３ｂとの間のデータ伝送経路上に設けられていればよい。
【０１３０】
また、第２の実施形態において、データ伝送経路を切り替える第１のセレクタ１２０ａ及び第２のセレクタ１２０ｂの代わりに、データ伝送経路を切り替える他の切り替え手段を備えていてもよい。
【０１３１】
（第２の実施形態の第１変形例）
以下、本発明の第２の実施形態の第１変形例に係るデータ送受信装置について図面を参照しながら説明する。
【０１３２】
図９は、第２の実施形態の第１変形例に係るデータ送受信装置の構成を示すブロック図である。尚、図９において、図７に示す第２の実施形態に係るデータ送受信装置２００と同一の構成要素には同一の符号を付す。
【０１３３】
図９に示すように、第２の実施形態の第１変形例の特徴は、図７に示すデータ送受信装置２００の構成に加えて、更にセレクタ制御部１２１を備えている点にある。
【０１３４】
セレクタ制御部１２１は、第１のセレクタ１２０ａ及び第２のセレクタ１２０ｂを制御することにより、第１のセレクタ１２０ａ及び第２のセレクタ１２０ｂにおいて切り替えられるデータ伝送経路を決定する。
【０１３５】
以下、図８〜図１０を用いて、セレクタ制御部１２１に制御されるセレクタの動作を具体的に説明する。
【０１３６】
図１０（ａ）は、第１のセレクタ１２０ａ及び第２のセレクタ１２０ｂを制御するために、セレクタ制御部１２１の内部に設けられたレジスタ構成を示す図である。
【０１３７】
また、図１０（ｂ）は、図１０（ａ）に示すレジスタ構成における１つのセレクタを、２ビットで制御する場合のその制御内容を示す図である。
【０１３８】
図１０（ａ）に示すように、第１のセレクタ１２０ａ及び第２のセレクタ１２０ｂのそれぞれにおいて行なわれるデータ伝送経路の切り替えを制御するために、それぞれに対応した２つのレジスタがセレクタ制御部１２１の内部に設けられている。それぞれのレジスタには、２ビットからなる制御情報を例えばマイクロコンピュータにより書き込むことができる。具体的には、図８（ａ）に示す第１のセレクタ１２０ａにおいて、γで示すデータ伝送経路とαで示すデータ伝送経路とをつなげたい場合、図１０（ａ）に示す第１のセレクタ１２０ａに対応するレジスタに、図１０（ｂ）に示すビット“１０”を書き込みばよい。このとき、同時に図１０（ａ）に示す第２のセレクタ１２０ｂに対応するレジスタに同じくビット“１０”を書き込めば、図８（ｂ）のαで示すデータ伝送経路とγで示すデータ伝送経路をつなげることができる。これにより、データ送受信装置２００ａを第１の送信状態及び第１の受信状態におけるデータ伝送経路にすることができる。同様にして図１０（ａ）に示すレジスタに適当なビットを書き込めば、第２の送信状態及び第２の受信状態におけるデータ伝送経路も実現できる。
【０１３９】
以上説明したように、第２の実施形態の第１変形例によると、第１のセレクタ１２０ａ及び第２のセレクタ１２０ｂを制御するためのレジスタがセレクタ制御部１２１の内部に設けられているため、第１のセレクタ１２０ａ及び第２のセレクタ１２０ｂにおいて行なわれるデータ伝送経路の切り替えの決定を確実に行なうことができる。
【０１４０】
（第２の実施形態の第２変形例）
以下、本発明の第２の実施形態の第２変形例に係るデータ送受信装置について図面を参照しながら説明する。
【０１４１】
図１１及び図１２は、第２の実施形態の第２変形例に係るデータ送受信装置の構成を示すブロック図である。尚、図１１及び図１２において、図７に示す第２の実施形態に係るデータ送受信装置２００と同一の構成要素には同一の符号を付す。
【０１４２】
また、図１１に、第２の実施形態の第２変形例に係るデータ送受信装置の第２の送信状態を併せて示す。一方、図１２には、第２の実施形態の第２変形例に係るデータ送受信装置の第２の受信状態を併せて示す。
【０１４３】
図１１及び図１２に示すように、第２の実施形態の第２変形例の特徴は、図７に示す第２の実施形態に係るデータ送受信装置２００の構成に加えて、データの暗号化又は復号化のための鍵を生成すると共に、生成された鍵を暗号化復号化手段に設定する第１の鍵設定制御部１２２ａと第２の鍵設定制御部１２２ｂとを備えている点にある。
【０１４４】
具体的には、例えば図１１に示すように、第２の送信状態（データ伝送経路１６０ａ）では、第１の暗号化復号化手段１０３ａにおける第１のデコーダ１０４ａにおいて、第１の入出力インターフェイス１０６ａに入力された第２の送信データを、第１の鍵設定制御部１２２ａにおいて生成された第３の復号化鍵ＫｅｙＥで復号化する。その後、第２の暗号化復号化手段１０３ｂにおける第２のエンコーダ１０５ｂにおいて、第１のセレクタ１２０ａ及び第２のセレクタ１２０ｂを経由した第２の送信データを、第２の鍵設定制御部１２２ｂにおいて生成された第４の暗号化鍵ＫｅｙＦで再暗号化する。
【０１４５】
また、図１２に示すように、第２の受信状態（データ伝送経路１６０ｂ）では、第２の暗号化復号化手段１０３ｂにおける第２のデコーダ１０４ｂにおいて、第２の送受信手段１０２ｂによって受信された第２の受信データを、第２の鍵設定制御部１２２ｂにおいて生成された第４の復号化鍵ＫｅｙＧで復号化する。その後、第１の暗号化復号化手段１０３ａにおける第１のエンコーダ１０５ａにおいて、第２のセレクタ１２０ｂ及び第１のセレクタ１２０ａを順に経由した第２の受信データを、第１の鍵設定制御部１２２ａにおいて生成された第３の暗号化鍵ＫｅｙＨで再暗号化する。
【０１４６】
以上説明したように、第２の実施形態の第２変形例によると、データ送受信装置２００ｂは、データを暗号化又は復号化するための鍵を生成すると共に、生成された鍵を第１の暗号化復号化手段１０３ａに設定する第１の鍵設定制御部１２２ａと、第２の暗号化復号化手段１０３ｂに設定する第２の鍵設定制御部１２２ｂとを備えている。すなわち、第１の暗号化復号化手段１０３ａ又は第２の暗号化復号化手段１０３ｂにおいてデータを暗号化又は復号化するために用いられる鍵の種類を選択することができると共に、その鍵を設定するか否かを決定することができる。よって、接続された外部装置との間で入出力されるデータの重要度に応じてデータの著作権を適宜保護することができる。また、送信先若しくは出力先の外部機器の暗号化又は復号化形式等に応じた対処をすることができる。また、暗号化又は復号化のために鍵を設定するか否かを、第１及び第２の鍵設定制御部１２２ａ及び１２２ｂにおいて選択することができるため、暗号化又は復号化の必要のない場合にも対応することができる。
【０１４７】
尚、第２の実施形態の第２変形例において、データ送受信装置２００ｂは第１の鍵設定制御部１２２ａ及び第２の鍵設定制御部１２２ｂの２つの鍵設定制御部を備えていたが、代わりに、第１の暗号化復号化手段１０３ａ及び第２の暗号化復号化手段１０３ｂにおける暗号化又は復号化のための鍵を共に制御する１つの鍵設定制御部を備えていてもよい。
【０１４８】
（第２の実施形態の第３変形例）
以下、本発明の第２の実施形態の第３変形例に係るデータ送受信装置について図面を参照しながら説明する。
【０１４９】
図１３は、第２の実施形態の第３変形例に係るデータ送受信装置の構成を示すブロック図である。尚、図１３において、図６に示す第１の実施形態の変形例に係るデータ送受信装置１００ａ、又は図１２及び図１３に示す第２の実施形態の第２変形例に係るデータ送受信装置２００と同一の構成要素には同一の符号を付す。
【０１５０】
図１３に示すように、第２の実施形態の第３変形例に係るデータ送受信装置２００ｃの特徴は、図１１及び図１２に示す第２の実施形態の第２変形例に係るデータ送受信装置２００ｂにおける送受信手段１０１が、ＩＥＥＥ１３９４規格に準拠した第１の物理層１０１ａと、リンク層１０１ｂとから構成されている点にある。
【０１５１】
したがって、第２の実施形態の第３変形例によると、ＩＥＥＥ１３９４規格に準拠した送受信を行なうことができるため、接続されたＩＥＥＥ１３９４ネットワーク上から受信されたデータを他の外部装置との間で入出力する場合であっても、第２の実施形態の第２変形例により得られる効果を確実に得ることができる。よって、ＩＥＥＥ１３９４ネットワーク上におけるデータの著作権保護のロバストネスを確実に守ることができる。
【０１５２】
また、第２の実施形態の第３変形例によると、第１の鍵設定制御部１２２ａ又は第２の鍵設定制御部１２２ｂにより暗号化又は復号化のための鍵の種類を選択できる。このため、ＩＥＥＥ１３９４ネットワークに接続された外部装置にデータを送信する場合、例えば第２の送信状態における送信を行なう場合であっても、第２の鍵設定制御部１２２ｂにおいてＩＥＥＥ１３９４規格に準拠した第４の暗号化鍵ＫｅｙＦを生成すると共に、その生成された第４の暗号化鍵ＫｅｙＦを第２のエンコーダ１０５ｂに設定すれば、ＩＥＥＥ１３９４規格に準拠して暗号化された第２の送信データを送信することができる。反対に、第２の受信状態における受信をする場合であっても、第２の鍵設定制御部１２２ｂにおいてＩＥＥＥ１３９４規格に準拠した第４の復号化鍵ＫｅｙＧを生成すると共に、その生成された第４の復号化鍵ＫｅｙＧを第２のデコーダ１０４ｂに設定すれば、ＩＥＥＥ１３９４規格に準拠して暗号化されたデータを復号化することができる。
【０１５３】
尚、第２の実施形態の第３変形例において、データ送受信装置２００ｃは、データ伝送経路を決定する第１のセレクタ１２０ａ及び第２のセレクタ１２０ｂを制御するセレクタ制御部を更に備えていてもよい。
【０１５４】
（第２の実施形態の第４変形例）
以下、本発明の第２の実施形態の第４変形例に係るデータ送受信装置について図面を参照しながら説明する。
【０１５５】
図１４は、第２の実施形態の第４変形例に係るデータ送受信装置の構成を示すブロック図である。尚、図１４において、図７に示す第２の実施形態に係るデータ送受信装置２００と同一の構成要素には同一の符号を付す。
【０１５６】
図１４に示すように、第２の実施形態の第４変形例に係るデータ送受信装置２００ｄの特徴は、データ伝送経路を切り替えるセレクタを６つ備えることにより、１つの暗号化復号化手段で送信データ又は受信データの再暗号化を実現している点にある。具体的に、データ送受信装置２００ｄは、第１の送受信手段１０２ａと、第１の暗号化復号化手段１０３ａを構成する第１のデコーダ１０４ａ及び第１のエンコーダ１０５ａと、第１の入出力インターフェイス１０６ａと、第３〜第８のセレクタ１２３〜１２８とからなる。
【０１５７】
以下、本変形例における送信データ及び受信データのデータ伝送経路を４つの場合に分けて説明する。
【０１５８】
本変形例における第１の送信状態では、第１の入出力インターフェイス１０６ａに入力された第１の送信データは、第８のセレクタ１２８、第６のセレクタ１２６、及び第７のセレクタ１２７を順に経由した後、第１の暗号化復号化手段１０３ａにおける第１のエンコーダ１０５ａにより暗号化される。その後、暗号化された第１の送信データは、第５のセレクタ１２５、第４のセレクタ１２４、及び第３のセレクタ１２３を順に経由して第１の送受信手段１０２ａによって送信される。一方、第１の受信状態では、第１の送受信手段１０２ａによって受信された第１の受信データは、第３のセレクタ１２３及び第４のセレクタ１２４を順に経由した後、第１の暗号化復号化手段１０３ａにおける第１のデコーダ１０４ａにより復号化される。その後、復号化された第１の受信データは、第６のセレクタ１２６及び第８のセレクタ１２８を順に経由した後、第１の入出力インターフェイス１０６ａから出力される。
【０１５９】
また、第２の送信状態では、第１の入出力インターフェイス１０６ａに入力された第２の送信データは、第８のセレクタ１２８及び第６のセレクタ１２６を順に経由した後、第１の暗号化復号化手段１０３ａにおける第１のデコーダ１０４ａにより復号化される。その後、復号化された第２の送信データは、第４のセレクタ１２４及び第５のセレクタ１２５を順に経由して第１の暗号化復号化手段１０３ａにおける第１のエンコーダ１０５ａにより再暗号化される。その後、再暗号化された第２の送信データは、第７のセレクタ１２７及び第３のセレクタ１２３を順に経由して第１の送受信手段１０２ａによって送信される。一方、第２の受信状態では、第１の送受信手段１０２ａによって受信された第２の受信データは、第３のセレクタ１２３及び第４のセレクタ１２４を順に経由した後、第１の暗号化復号化手段１０３ａにおける第１のデコーダ１０４ａにより復号化される。その後、復号化された第２の受信データは、第６のセレクタ１２６及び第７のセレクタ１２７を順に経由して第１の暗号化復号化手段１０３ａにおける第１のエンコーダ１０５ａにより再暗号化される。その後、再暗号化された第２の受信データは、第５のセレクタ１２５及び第８のセレクタ１２８を順に経由した後、第１の入出力インターフェイス１０６ａから出力される。
【０１６０】
このように、第２の実施形態の第４変形例によると、１つの暗号化復号化手段（１０３ａ）しか備えていないデータ送受信装置であっても、６つのセレクタ、すなわち第３〜第８のセレクタ１２３〜１２８を備えることにより、送信データ又は受信データを再暗号化することができる。このため、外部装置との間において入出力されるデータを、第三者により不正コピー又は盗聴されることを防止できる。よって、本変形例のデータ送受信装置２００ｄに接続されたネットワーク上におけるデータの著作権保護のロバストネスを守ることができる。
【０１６１】
また、第２の実施形態の第４変形例によると、第３〜第８のセレクタ１２３〜１２８により、データ伝送経路を容易に切り替えることができる。このため、著作権保護の必要のないデータを出力する場合は、第１の受信状態を実現するデータ伝送経路を選択することにより、復号化したままの第１の受信データを出力することができる。反対に、著作権保護の必要のあるデータを出力する場合は、第２の受信状態を実現するデータ伝送経路を選択することにより、再暗号化した第２の受信データを出力することができる。
【０１６２】
また、第２の実施形態の第４変形例によると、送信データ又は受信データを再暗号化するという機能を、データ伝送経路を切り替えるセレクタにより実現させているため、再暗号化するための暗号回路を追加した再暗号化専用のデータ送受信装置を新たに設計する必要がない。また、送信データ又は受信データの再暗号化を実現するための暗号回路を新たに追加する必要がないため、既存の回路規模を維持することができる。したがって、送受信回路の設計期間を短縮化することができると共に、設計コストの削減を図ることができる。
【０１６３】
尚、第２の実施形態の第４変形例において、第３〜第８のセレクタ１２３〜１２８を制御するセレクタ制御部を更に備えていることが好ましい。
【０１６４】
また、第２の実施形態の第４変形例において、第１のデコーダ１０４ａに設定される復号化鍵又は第１のエンコーダ１０５ａに設定される暗号化鍵を設定する鍵設定制御部を更に備えていることが好ましい。
【０１６５】
また、第２の実施形態の第４変形例において、受信データを第２の受信状態において再暗号化する必要がない場合は、第３のセレクタ１２３及び第５のセレクタ１２５を構成から省くことができる。反対に、送信データを第２の送信状態において再暗号化する必要がない場合は、第７のセレクタ１２７及び第８のセレクタ１２８を構成から省くことができる。
【０１６６】
また、第２の実施形態の第４変形例において、第１の送受信手段１０２ａによって、ＩＥＥＥ１３９４規格に準拠した送受信が行なわれることが好ましい。
【０１６７】
（第３の実施形態）
以下、本発明の第３の実施形態に係るデータ送受信装置について図面を参照しながら説明する。
【０１６８】
第２の実施形態に係るデータ送受信装置の特徴は、図１に示す第１の実施形態に係るデータ送受信装置１００の構成に加えて、４つのスイッチを更に備えている点にある。図１５にその構成を示す。
【０１６９】
図１５は、第３の実施形態に係るデータ送受信装置の構成を示すブロック図である。尚、図１５において、図１に示す第１の実施形態に係るデータ送受信装置１００と同一の構成要素には同一の符号を付す。
【０１７０】
図１５に示すように、本実施形態に係るデータ送受信装置３００は、第１の送受信手段１０２ａと第１の暗号化復号化手段１０３ａとの間のデータ伝送経路上に第１のスイッチ１３０ａと、第２の暗号化復号化手段１０３ｂと第２の入出力インターフェイス１０６ｂとの間のデータ伝送経路上に第２のスイッチ１３０ｂとを備えている。更に、データ送受信装置３００は、第１のスイッチ１３０ａと第１の暗号化復号化手段１０３ａとの間のデータ伝送経路と、第２の暗号化復号化手段１０３ｂと第２のスイッチ１３０ｂとの間のデータ伝送経路とを接続するデータ伝送経路上に、第３のスイッチ１３１ａ及び第４のスイッチ１３１ｂを備えている。
【０１７１】
次に、第１のスイッチ１３０ａ、第２のスイッチ１３０ｂ、第３のスイッチ１３１ａ、及び第４のスイッチ１３１ｂの具体的な動作について説明する。
【０１７２】
図１６は、第１のスイッチ１３０ａの具体的な動作を例に示す概念図である。
【０１７３】
図１６に示すように、第１のスイッチ１３０ａには、２つのデータ伝送経路がある。αで示すデータ伝送経路上には第１の暗号化復号化手段１０３ａがあり、また、γで示すデータ伝送経路上には第１の送受信手段１０２ａがある。
【０１７４】
また、図１６に示すように、第１のスイッチ１３０ａには、αで示すデータ伝送経路とγで示すデータ伝送経路とが接続されていない状態であるＯＦＦ状態と、αで示すデータ伝送経路とγで示すデータ伝送経路とが接続された状態であるＯＮ状態とがある。ＯＦＦ状態では、αで示すデータ伝送経路とγで示すデータ伝送経路との間には電流が流れないようになっている。これに対して、ＯＮ状態では、αで示すデータ伝送経路とγで示すデータ伝送経路との間に電流が流れるようになっている。尚、図１６においては、第１のスイッチ１３０ａのＯＦＦ状態及びＯＮ状態のそれぞれについて説明したが、第２のスイッチ１３０ｂ、第３のスイッチ１３１ａ、及び第４のスイッチ１３１ｂにもそれぞれ上記のようなＯＦＦ状態又はＯＮ状態がある。
【０１７５】
このため、第１のスイッチ１３０ａ及び第２のスイッチ１３０ｂのそれぞれがＯＮ状態（接続状態）になるようにすると共に、第３のスイッチ１３１ａ及び第４のスイッチ１３１ｂのそれぞれがＯＦＦ状態（非接続状態）になるようにすれば、第１の実施形態において説明した第１の送信状態又は第１の受信状態におけるデータ送受信を行なうことができる。
【０１７６】
反対に、第１のスイッチ１３０ａ及び第２のスイッチ１３０ｂのそれぞれがＯＦＦ状態（非接続状態）になるようにすると共に、第３のスイッチ１３１ａ及び第４のスイッチ１３１ｂのそれぞれがＯＮ状態（接続状態）になるようにすれば、第１の実施形態において説明した第２の送信状態又は第２の受信状態におけるデータ送受信を行なうことができる。
【０１７７】
また、第１のスイッチ１３０ａ、第３のスイッチ１３１ａ、及び第４のスイッチ１３１ｂのそれぞれがＯＮ状態になるようにすると共に、第２のスイッチ１３０ｂがＯＦＦ状態になるようにすれば、第１の送信状態及び第２の送信状態におけるデータの送信を同時に、又は第１の受信状態及び第２の受信状態におけるデータの受信を同時に行なうことができる。
【０１７８】
このように、第３の実施形態によると、ＯＮ状態又はＯＦＦ状態に切り替えることのできる第１のスイッチ１３０ａ、第２のスイッチ１３０ｂ、第３のスイッチ１３１ａ、及び第４のスイッチ１３１ｂを備えているため、ＯＮ状態又はＯＦＦ状態にあるそれぞれのスイッチを組み合わせることにより、第１の送信状態及び第２の送信状態におけるデータ伝送経路と、第２の送信状態及び第２の受信状態におけるデータ伝送経路との相互の切り替えを容易に行なうことができる。よって、著作権保護の必要のないデータを入出力する場合は、第１の送信状態及び第１の受信状態を実現するデータ伝送経路を選択することにより、復号化されたままのデータを入出力することができる。反対に、著作権保護の必要のあるデータを入出力する場合は、第２の送信状態及び第２の受信状態を実現するデータ伝送経路を選択することにより、暗号化されたデータを安全に入出力することができる。
【０１７９】
また、第３の実施形態によると、第１のスイッチ１３０ａ、第２のスイッチ１３０ｂ、第３のスイッチ１３１ａ、及び第４のスイッチ１３１ｂのそれぞれのＯＮ状態又はＯＦＦ状態を組み合わせることにより、第１の送信状態及び第２の送信状態におけるデータの送信を同時に行なうことができる。反対に、第１の受信状態及び第２の受信状態におけるデータの受信も同時に行なうことができる。
【０１８０】
また、第３の実施形態によると、送信データ又は受信データを再暗号化するという機能を、ＯＮ状態又はＯＦＦ状態に切り替わるスイッチの組み合わせにより実現しているため、再暗号化するための暗号回路を追加した再暗号化専用のデータ送受信装置を新たに設計する必要がない。また、送信データ又は受信データの再暗号化を実現するための暗号回路を新たに追加する必要がないため、既存の回路規模を維持することができる。したがって、送受信回路の設計期間を短縮化することができると共に、設計コストの削減を図ることができる。
【０１８１】
（第３の実施形態の変形例）
以下、本発明の第３の実施形態の変形例に係るデータ送受信装置について図面を参照しながら説明する。
【０１８２】
図１７は、第３の実施形態の変形例に係るデータ送受信装置の構成を示すブロック図である。尚、図１７において、図１５に示すデータ送受信装置３００と同一の構成要素には同一の符号を付す。
【０１８３】
図１７に示すように、第３の実施形態の変形例の特徴は、図１５に示すデータ送受信装置３００の構成に加えて、更にスイッチ制御部１３２を備えている点にある。
【０１８４】
スイッチ制御部１３２は、第１のスイッチ１３０ａ、第２のスイッチ１３０ｂ、第３のスイッチ１３１ａ、及び第４のスイッチ１３１ｂのそれぞれのＯＮ状態又はＯＦＦ状態への切り替えを決定する。
【０１８５】
以下、スイッチ制御部１３２によって制御されるスイッチの動作について具体的に説明する。
【０１８６】
図１８（ａ）は、第１のスイッチ１３０ａ、第２のスイッチ１３０ｂ、第３のスイッチ１３１ａ、及び第４のスイッチ１３１ｂのそれぞれの動作を制御するために、スイッチ制御部１３２の内部に設けられたレジスト構成を示す図である。
【０１８７】
また、図１８（ｂ）は、図１８（ａ）に示すレジスタ構成における１つのスイッチを、１ビットで制御する場合のその制御内容を示す図である。
【０１８８】
図１８（ａ）に示すように、スイッチ制御部１３２の内部には、第１のスイッチ１３０ａ、第２のスイッチ１３０ｂ、第３のスイッチ１３１ａ、及び第４のスイッチ１３１ｂのそれぞれの動作を制御するために、４つのレジスタが設けられている。これらのレジスタには、１ビットからなる制御情報を例えばマイクロコンピュータにより書き込むことができる。
【０１８９】
具体的には、図１５に示す第１のスイッチ１３０ａにおいて、αで示すデータ伝送経路とγで示すデータ伝送経路とをつなげたい場合、図１８（ａ）に示す第１のスイッチ１３０ａに対応するレジスタに、例えばマイクロコンピュータによって、ビット“１”を書き込めばよい。このとき、同時に図１８（ａ）に示す第２のスイッチ１３０ｂに対応するレジスタに、ビット“１”を書き込めば、第２の暗号化復号化手段１０３ｂと第２の入出力インターフェイス１０６ｂとを接続することができる。これにより、データ送受信装置３００ａのデータ伝送経路を、第１の送信状態及び第１の受信状態におけるデータ伝送経路にすることができる。同様にして、図１８（ａ）に示すレジスタに適当なビットを書き込めば、第２の送信状態及び第２の受信状態におけるデータ伝送経路も実現できる。
【０１９０】
以上説明したように、第３の実施形態の変形例によると、第１のスイッチ１３０ａ、第２のスイッチ１３０ｂ、第３のスイッチ１３１ａ、及び第４のスイッチ１３１ｂのそれぞれの動作を制御するためのレジスタがスイッチ制御部１３２の内部に設けられているため、それぞれのスイッチのＯＮ状態又はＯＦＦ状態の組み合わせにより行なわれるデータ伝送経路の切り替えを確実に行なうことができる。
【０１９１】
（第４の実施形態）
以下、本発明の第４の実施形態に係るデータ送受信装置について図面を参照しながら説明する。
【０１９２】
図１９は、第４の実施形態に係るデータ送受信装置の構成を示すブロック図である。また、第３の送信状態及び第３の受信状態におけるデータ伝送経路も併せて示す。尚、図１９において、図１に示す第１の実施形態に係るデータ送受信装置１００と同一の構成要素には同一の符号を付す。
【０１９３】
また、図２０は、図１９に示す第３の送信状態及び第３の受信状態において第３の送信データ又は第３の受信データの暗号化又は復号化を行なうための鍵を示す図である。
【０１９４】
以下、第３の送信状態及び第３の受信状態におけるデータ伝送経路について説明する。
【０１９５】
図１９に示すように、第３の送信状態（データ伝送経路１７０ａ）では、第１の送受信手段１０２ａによって受信された第３の送信データは、第１の暗号化復号化手段１０３ａにおける第１のデコーダ１０４ａにより復号化される。その後、復号化された第３の送信データは、第２の暗号化復号化手段１０３ｂにおける第２のエンコーダ１０５ｂにより再暗号化される。そして、再暗号化された第３の送信データは、第２の送受信手段１０２ｂによって送信される。
【０１９６】
一方、第３の受信状態（データ伝送経路１７０ｂ）では、第２の送受信手段１０２ｂによって受信された第３の受信データは、第２の暗号化復号化手段１０３ｂにおける第２のデコーダ１０４ｂにより復号化される。その後、復号化された第３の受信データは、第１の暗号化復号化手段１０３ａにおける第１のエンコーダ１０５ａにより再暗号化される。そして、再暗号化された第３の受信データは、第１の送受信手段１０２ａによって送信される。
【０１９７】
また、図２０に示すように、第３の送信データ及び第３の受信データを暗号化又は復号化するための鍵に関しては、第３の送信状態では、第３の送信データは、第１のデコーダ１０４ａにより第５の復号化鍵ＫｅｙＩで復号化された後、第２のエンコーダ１０５ｂにより第６の暗号化鍵ＫｅｙＪで再暗号化される。一方、第３の受信状態では、第３の受信データは、第２のデコーダ１０４ｂにより第６の復号化鍵ＫｅｙＬで復号化された後、第１のエンコーダ１０５ａにより第５の暗号化鍵ＫｅｙＫで再暗号化される。
【０１９８】
以上説明したように、第４の実施形態によると、第３の送信状態においても、第３の受信状態においても、送受信手段１０１に接続されたネットワークから受信された第３の送信データ又は第３の受信データを再暗号化して再度そのネットワーク上に送信することができる。このため、そのネットワーク上における例えば暗号化手段を変更する機能のない外部装置であっても、その外部装置のデータを本実施形態に係るデータ送受信装置４００を介して再暗号化できる。つまり、データ送受信装置４００を、データを再暗号化する再暗号化装置として機能させることができる。このため、外部装置に接続されたネットワーク上におけるデータの著作権保護のロバストネスを守ることができる。
【０１９９】
尚、第４の実施形態における第３の送信状態及び第３の受信状態においては、暗号化された第３の送信データ又は第３の受信データを再暗号化したが、暗号化されていない第３の送信データ及び第３の受信データを暗号化して送信するようにしてもよい。このようにすれば、例えば暗号化機能のない外部装置であっても、その外部装置に保存されたデータを本実施形態に係るデータ送受信装置４００を介して暗号化できる。つまり、データ送受信装置４００を、データを暗号化する暗号化装置として機能させることができる。このため、外部装置に接続されたネットワーク上におけるデータの著作権保護のロバストネスを守ることができる。
【０２００】
また、第４の実施形態において、第１の実施形態における第１の送信状態、第１の送信状態、第２の送信状態、及び第２の受信状態と同じような送受信を行なうことができる設定にしてもよい。
【０２０１】
また、第４の実施形態における第３の送信状態及び第３の受信状態では、受信する送受信手段（１０２ａ又は１０２ｂ）と送信する送受信手段（１０２ａ又は１０２ｂ）とが異なっていたが、同一の送受信手段（１０２ａ又は１０２ｂ）によって送受信が行なわれるようにしてもよい。
【０２０２】
（第４の実施形態の第１変形例）
以下、本発明の第４の実施形態の第１変形例に係るデータ送受信装置について図面を参照しながら説明する。
【０２０３】
図２１は、第４の実施形態の第１変形例に係るデータ送受信装置の構成を示すブロック図である。尚、図２１において、図１９に示す第４の実施形態に係るデータ送受信装置４００と同一の構成要素には同一の符号を付す。
【０２０４】
図２１に示すように、第４の実施形態の第１変形例に係るデータ送受信装置４００ａの特徴は、図１９に示す第４の実施形態に係るデータ送受信装置４００の構成に加えて、データ伝送経路の切り替えを行なう第９のセレクタ１４０ａと第１０のセレクタ１４０ｂを更に備えている点にある。具体的に、第９のセレクタ１４０ａは、第１の暗号化復号化手段１０３ａと第１の入出力インターフェイス１０６ａとの間のデータ伝送経路上に設けられている。また、第１０のセレクタ１４０ｂは、第２の暗号化復号化手段１０３ｂと第２の入出力インターフェイス１０６ｂとの間のデータ伝送経路上に設けられている。これにより、第４の実施形態において説明した第３の送信状態及び第３の受信状態を実現することができる。
【０２０５】
第３の送信状態では、第１の送受信手段１０２ａによって受信された第３の送信データは、第１の暗号化復号化手段１０３ａ、第９のセレクタ１４０ａ、第１０のセレクタ１４０ｂ、及び第２の暗号化復号化手段１０３ｂを順に経由した後、第２の送受信手段１０２ｂによって送信される。一方、第３の受信状態では、第２の送受信手段１０２ｂによって受信された第３の受信データは、第２の暗号化復号化手段１０３ｂ、第１０のセレクタ１４０ｂ、第９のセレクタ１４０ａ、及び第１の暗号化復号化手段１０３ａを順に経由した後、第１の送受信手段１０２ａによって送信される。
【０２０６】
よって、第４の実施形態の第１変形例によると、第９のセレクタ１４０ａ及び第１０のセレクタ１４０ｂにおいてデータ伝送経路を切り替えることにより、第４の実施形態における第３の送信状態及び第３の受信状態を実現することができる。したがって、第４の実施形態により得られる効果が確実に得られる。
【０２０７】
尚、第４の実施形態の第１変形例において、第９のセレクタ１４０ａ及び第１０のセレクタ１４０ｂを制御するセレクタ制御部を更に備えていることが好ましい。
【０２０８】
また、第４の実施形態の第１変形例において、データ伝送経路を切り替えるために第９のセレクタ１４０ａ及び第１０のセレクタ１４０ｂの代わりに、データ伝送経路を切り替える他の切り替え手段を備えていてもよい。
【０２０９】
（第４の実施形態の第２変形例）
以下、本発明の第４の実施形態の第２変形例に係るデータ送受信装置について図面を参照しながら説明する。
【０２１０】
図２２は、第４の実施形態の第２変形例に係るデータ送受信装置の構成を示すブロック図である。尚、図２２において、図６に示す第１の実施形態の変形例に係るデータ送受信装置１００ａ、又は第４の実施形態の第１変形例に係るデータ送受信装置４００ａと同一の構成要素には同一の符号を付す。
【０２１１】
図２２に示すように、第４の実施形態の第２変形例に係るデータ送受信装置４００ｂの特徴は、図２１に示す第４の実施形態の第１変形例に係るデータ送受信装置４００ａにおける送受信手段１０１が、ＩＥＥＥ１３９４規格に準拠した第１の物理層１０１ａとリンク層１０１ｂとから構成されている点と、第１１のセレクタ１４１ａ及び第１２のセレクタ１４１ｂを更に備えている点とにある。
【０２１２】
このため、第４の実施形態の第２変形例によると、ＩＥＥＥ１３９４規格に準拠した第１の物理層１０１ａ及びリンク層１０１ｂを備えているため、ＩＥＥＥ１３９４規格に準拠した送受信を行なうことができる。また、第９のセレクタ１４０ａ及び第１０のセレクタ１４０ｂを備えているため、ＩＥＥＥ１３９４ネットワーク上の外部装置との間でデータの送受信を行なう場合であっても、第４の実施形態の第１変形例により得られた効果が確実に得られる。
【０２１３】
また、第４の実施形態の第２変形例によると、第９のセレクタ１４０ａ及び第１０のセレクタ１４０ｂに加えて、第１１のセレクタ１４１ａ及び第１２のセレクタ１４１ｂを更に備えている。このため、例えばＰＣ（パーソナルコンピュータ）に本変形例に係るデータ送受信装置４００ｂを備えた場合、ＰＣのハードディスクに保存されたデータを、第１の入出力インターフェイス１０６ａ、第９のセレクタ１４０ａ、第１の暗号化復号化手段１０３ａ、第１１のセレクタ１４１ａ、第１２のセレクタ１４１ｂ、第２の暗号化復号化手段１０３ｂ、第１０のセレクタ１４０ｂ、及び第２の入出力インターフェイス１０６ｂを順に経由させれば、データを再暗号化して再保存することができる。
【０２１４】
（第５の実施形態）
以下、本発明の第５の実施形態に係るデータ送受信システムについて図面を参照しながら説明する。
【０２１５】
図２３は、第５の実施形態に係るデータ送受信システムの構成を示すブロック図である。尚、図２３において、図１に示す第１の実施形態に係るデータ送受信装置１００と同一の構成要素には同一の符号を付す。
【０２１６】
また、図２３には、第５の実施形態の第１の送信状態及び第１の受信状態におけるデータ伝送経路も併せて示す。また、図２４には、第５の実施形態の第２の送信状態におけるデータ伝送経路を示す。また、図２５には、第５の実施形態の第２の受信状態におけるデータ伝送経路を示す。
【０２１７】
図２３に示すように、第５の実施形態に係るデータ送受信システム５００は、入力されたデータ（送信データ）を送信し、受信されたデータ（受信データ）を出力する第１のデータ送受信装置５０１（図１に示す第１の実施形態に係るデータ送受信装置１００と同一）と、入力されたデータを送信し、受信されたデータを出力する第２のデータ送受信装置５０２とから構成される。尚、第１のデータ送受信装置５０１の具体的な構成は、図１に示すデータ送受信装置１００と同一であるため、説明を省略する。
【０２１８】
以下、本実施形態における第１及び第２の送信状態における送信、並びに第１及び第２の受信状態における受信を本実施形態において行なう場合のデータ伝送経路について説明する。
【０２１９】
図２３に示すように、第１の送信状態（データ伝送経路１８０ａ）では、まず、第２のデータ送受信装置５０２において受信されたデータ（第１の送信データ）が、第１のデータ送受信装置５０１に出力される。その後、第１の入出力インターフェイス１０６ａを経由して入力された第１の送信データは、第１の暗号化復号化手段１０３ａにおける第１のエンコーダ１０５ａにより暗号化される。その後、暗号化された第１の送信データは、第１の送受信手段１０２ａによって送信される。一方、第１の受信状態（データ伝送経路１８０ｂ）では、まず、第２の送受信手段１０２ｂによって受信された第１の受信データが、第２の暗号化復号化手段１０３ｂにおける第２のデコーダ１０４ｂにより復号化される。その後、暗号化された第１の受信データは第２の入出力インターフェイス１０６ｂから第２のデータ送受信装置５０２に出力される。その後、第２のデータ送受信装置５０２に入力された第１の受信データは、第２のデータ送受信装置５０２において送信される。
【０２２０】
また、図２４に示すように、第２の送信状態（データ伝送経路１８１ａ）では、第２のデータ送受信装置５０２において受信されたデータ（第２の送信データ）が第１のデータ送受信装置５０１に出力される。その後、第１の入出力インターフェイス１０６ａを経由して入力された第２の送信データは、第１の暗号化復号化手段１０３ａにおける第１のデコーダ１０４ａにより復号化される。その後、復号化された第２の送信データは、第２の暗号化復号化手段１０３ｂにおける第２のエンコーダ１０５ｂにより再暗号化される。その後、再暗号化された第２の送信データは、第２の送受信手段１０２ｂによって送信される。
【０２２１】
一方、図２５に示すように、第２の受信状態（データ伝送経路１８１ｂ）では、第２の送受信手段１０２ｂによって受信された第２の受信データは、第２の暗号化復号化手段１０３ｂにおける第２のデコーダ１０４ｂにより復号化される。その後、復号化された第２の受信データは、第１の暗号化復号化手段１０３ａにおける第１のエンコーダ１０５ａにより再暗号化される。その後、再暗号化された第２の受信データは第１の入出力インターフェイス１０６ａから第２のデータ送受信装置５０２に出力される。その後、第２のデータ送受信装置５０２に入力された第２の受信データは、第２のデータ送受信装置５０２において送信される。
【０２２２】
以上説明したように、第５の実施形態によると、第１の送信状態では、第２のデータ送受信装置５０２から第１のデータ送受信装置５０１に出力された第１の送信データを、第１のデータ送受信装置５０１において暗号化して送信することができる。一方、第１の受信状態では、暗号化された第１の受信データを、第１のデータ送受信装置５０１において復号化した後、第２のデータ送受信装置５０２に出力することができる。すなわち、第１のデータ送受信装置５０１と第２のデータ送受信装置５０２との間において、暗号化されていないデータを入出力することができる。よって、著作権を保護する必要のないデータ又は機密性のないデータを入出力する場合に適した送受信を行なうことができる。
【０２２３】
また、第５の実施形態によると、第２の送信状態では、暗号化された第２の送信データを第１のデータ送受信装置５０１に出力した後、第１のデータ送受信装置５０１において復号化することができる。一方、第２の受信状態では、第１のデータ送受信装置５０１において再暗号化された第２の受信データを、第２のデータ送受信装置５０２に出力することができる。このため、第１のデータ送受信装置５０１と第２のデータ送受信装置５０２との間で入出力されるデータを常に暗号化しておくことができる。このため、第１のデータ送受信装置５０１と第２のデータ送受信装置５０２との間において入出力されるデータの不正コピー又は盗聴行為を防止することができる。よって、第１のデータ送受信装置５０１及び第２のデータ送受信装置５０２に接続されたネットワーク上におけるデータの著作権保護のロバストネスを守ることができる。
【０２２４】
尚、第５の実施形態における第２の送信状態において、第２の送信データを第１のデコーダ１０４により復号化した後、第２のエンコーダ１０５ｂにより再暗号化したが、第２のデコーダ１０４ｂにより復号化した後、第１のエンコーダ１０５ａにより再暗号化してもよい。また、第２の受信状態では、第２の受信データを第２のデコーダ１０４ｂにより復号化した後、第１のエンコーダ１０５ａにより再暗号化したが、第１のデコーダ１０４ａにより復号化した後、第２のエンコーダ１０５ｂにより暗号化してもよい。
【０２２５】
また、第５の実施形態の第２の送信状態における送信をする場合、第２のエンコーダ１０５ｂにおいて、第２の送信データを暗号化していた暗号化鍵とは異なる鍵で第２の送信データを再暗号化することが好ましい。また、第２の受信状態における受信をする場合、第１のエンコーダ１０５ａにおいて、第２の受信データを暗号化していた暗号化鍵とは異なる鍵で第２の受信データを再暗号化することが好ましい。この場合、第１のデータ送受信装置５０１は、第１の暗号化復号化手段１０３ａ及び第２の暗号化復号化手段１０３ｂにおいて行なわれる暗号化又は復号化のための鍵を設定する鍵設定制御部を備えていることが更に好ましい。
【０２２６】
また、第５の実施形態において、第１の送受信手段１０２ａと第１の暗号化復号化手段１０３ａとの間のデータ伝送経路上、及び第２の送受信手段１０２ｂと第２の暗号化復号化手段１０３ｂとの間のデータ伝送経路上に、データ伝送経路を切り替えるセレクタを設けていることが好ましい。この場合、セレクタの動作を制御するセレクタ制御部を備えていることが更に好ましい。
【０２２７】
また、第５の実施形態における第１のデータ送受信装置５０１は、１つの集積回路上に集積されていることが好ましい。
【０２２８】
また、第５の実施形態の第１のデータ送受信装置５０１は、送受信手段、暗号化復号化手段、及び入出力インターフェイスをそれぞれ１つ含む組みを２組備えていたが、３組以上備えていてもよい。
【０２２９】
（第５の実施形態の変形例）
以下、本発明の第５の実施形態の変形例に係るデータ送受信システムについて図面を参照しながら説明する。
【０２３０】
図２６は、第５の実施形態の変形例に係るデータ送受信システムの構成を示すブロック図である。また、一例として第２の送信状態におけるデータ伝送経路１８０ａも併せて示す。尚、図２６において、図２３に示す第５の実施形態に係るデータ送受信システム５００と同一の構成要素には同一の符号を付す。
【０２３１】
図２６に示すように、第５の実施形態の変形例に係るデータ送受信システム５００ａの特徴は、図２３に示す第５の実施形態における第１のデータ送受信装置５０１において、ＩＥＥＥ１３９４規格に準拠した送受信が行なわれる点と、第２のデータ送受信装置５０２においては、ＩＥＥＥ８０２．１１規格に準拠した無線の送受信が行なわれる点とにある。
【０２３２】
具体的に、本変形例における第１のデータ送受信装置５０１ａの送受信手段は、ＩＥＥＥ１３９４規格に準拠した第１の物理層１０１ａとリンク層１０１ｂとから構成される。一方、第２のデータ送受信装置５０２ａは、第３の入出力インターフェイス１５８と、ＩＥＥＥ８０２．１１規格に準拠した無線手段１５５、第２の物理層１５６、及びマック（ＭＡＣ：ｍｅｄｉａ  ａｃｃｅｓｓ  ｃｏｎｔｒｏｌ）層１５７とから構成される。
【０２３３】
すなわち、第５の実施形態の変形例によると、第１のデータ送受信装置５０１ａにおいて、ＩＥＥＥ１３９４規格に準拠した送受信を行なうことができるため、ＩＥＥＥ１３９４ネットワーク上においてＩＥＥＥ１３９４規格に準拠して保護されているデータの著作権を、第１のデータ送受信装置５０１ａと第２のデータ送受信装置５０２ａとの間においても保護することができる。すなわち、ＩＥＥＥ１３９４ネットワーク上におけるデータの著作権保護のロバストネスを確実に守ることができる。
【０２３４】
また、第５の実施形態の変形例によると、第２のデータ送受信装置５０２ａにおいて、ＩＥＥＥ８０２．１１規格に準拠した送受信を行なうことができるため、ＩＥＥＥ８０２．１１ネットワーク上においてＩＥＥＥ８０２．１１規格に準拠して保護されているデータの著作権を、第１のデータ送受信装置５０１ａと第２のデータ送受信装置５０２ａとの間においても保護することができる。すなわち、ＩＥＥＥ８０２．１１ネットワーク上におけるデータの著作権保護のロバストネスを確実に守ることができる。
【０２３５】
したがって、第５の実施形態によると、ＩＥＥＥ１３９４ネットワークと、ＩＥＥＥ８０２．１１ネットワークとの間でデータ伝送を行なう場合であっても、両方のネットワーク上におけるデータの著作権保護のロバストネスを確実に守ることができる。よって、ＩＥＥＥ１３９４規格で受信したデータを、ＩＥＥＥ８０２．１１規格で無線送信する場合であっても、その著作権は保護される。
【０２３６】
尚、第５の実施形態の変形例において、第２の送信状態における第２の送信データがされる第１の暗号化復号化手段１０３ａでの復号化と、第２の受信状態における第２の受信データがされる第１の暗号化復号化手段１０３ａでの暗号化とが、ＩＥＥＥ８０２．１１規格に準拠されていることが好ましい。
【０２３７】
このようにすると、第２のデータ送受信装置５０２ａにおいて、ＩＥＥＥ８０２．１１規格に準拠した暗号化又は復号化を行なうことができるため、ＩＥＥＥ８０２．１１ネットワーク上におけるデータの著作権を確実に保護することができる。
【０２３８】
【発明の効果】
本発明の第１のデータ送受信装置によると、例えば暗号化されていないデータが入力された場合、第１の送信状態における送信を行なうことにより、その入力されたデータ（第１の送信データ）を暗号化してから送信することができる。また、例えば著作権を保護する必要のないデータを受信した場合は、第１の受信状態における受信を行なうことにより、その受信したデータ（第１の受信データ）を復号化してから出力することができる。よって、著作権を保護する必要のないデータ又は機密性のないデータ等を他の外部装置との間で入出力する場合に適したデータの送受信を行なうことができる。
【０２３９】
また、本発明の第１のデータ送受信装置によると、例えば暗号化されたデータが入力された場合、第２の送信状態における送信を行なうことにより、その入力されたデータ（第２の送信データ）を復号化した後、再暗号化してから送信することができる。また、例えばその著作権を保護する必要のあるデータを受信した場合は、第２の受信状態における受信を行なうことにより、その受信したデータ（第２の受信データ）を復号化した後、再暗号化してから出力することができる。このため、他の外部装置との間でデータの入出力を行なう場合であっても、その外部装置との間で入出力されるデータを第三者により不正コピー又は盗聴されることを防止することができる。言い換えると、その外部装置との間で入出力されるデータの著作権を保護することができる。すなわち、第１のデータ送受信装置に接続されたネットワーク上におけるデータの著作権保護のロバストネス（堅牢性）を守ることができる。
【０２４０】
また、本発明の第１のデータ送受信装置によると、データを再暗号化するための暗号回路を新たに追加する必要がない。すなわち、回路規模を増大させることなく著作権を保護することができる。また、新たな暗号回路を追加する必要がないため、新たな送受信回路を設計する必要がない。言い換えると、送信データ又は受信データを再暗号化するための専用の送受信回路を新たに設計する必要がない。したがって、回路設計の期間を短縮化することができると共に、設計コストを削減することができる。
【０２４１】
本発明の第２のデータ送受信装置によると、例えば再暗号化する機能を持たない他の外部装置に保存されたデータであっても、そのデータは第２の送信状態における第２のデータ送受信装置を介することにより再暗号化される。つまり、第２のデータ送受信装置を再暗号化装置として機能させることができる。このため、外部装置に接続されたネットワーク上におけるデータの著作権保護のロバストネスを守ることができる。
【０２４２】
本発明の第３のデータ送受信装置によると、著作権を保護する必要のないデータ又は機密性のないデータ等を他の外部装置との間で入出力する場合に適したデータの送受信を行なうことができる。また、他の外部装置との間でデータの入出力を行なう場合であっても、その外部装置との間で入出力されるデータを第三者により不正コピー又は盗聴されることを防止することができる。言い換えると、その外部装置との間で入出力されるデータの著作権を保護することができる。すなわち、第３のデータ送受信装置に接続されたネットワーク上におけるデータの著作権保護のロバストネス（堅牢性）を守ることができる。また、例えば、送受信手段によって受信された暗号化されたデータを、第２の暗号化復号化手段により復号化した後、入出力インターフェイスから出力すると同時に、第２の暗号化復号化手段により復号化した後、第１の暗号化復号化手段により再暗号化し、その後、入出力インターフェイスから出力することもできる。
【０２４３】
本発明の第４のデータ送受信装置によると、著作権を保護する必要のないデータ又は機密性のないデータ等を他の外部装置との間で入出力する場合に適したデータの送受信を行なうことができる。また、例えば再暗号化する機能を持たない他の外部装置に保存されたデータであっても、そのデータは第４のデータ送受信装置を介することにより再暗号化される。つまり、第４のデータ送受信装置を再暗号化装置として機能させることができる。このため、外部装置に接続されたネットワーク上におけるデータの著作権保護のロバストネスを守ることができる。
【０２４４】
本発明のデータ送受信システムによると、例えば第２のデータ送受信装置によって受信された暗号化されていないデータが第１のデータ送受信装置に入力された場合、第１の送信状態における送信を行なうことにより、第１のデータ送受信装置に入力されたデータ（第１の送信データ）を暗号化してから送信することができる。また、例えば第１のデータ送受信装置における送受信装置によって著作権を保護する必要のないデータを受信した場合は、第１の受信状態における受信を行なうことにより、その受信したデータ（第１の受信データ）を復号化してから第２のデータ送受信装置に出力することができる。よって、著作権を保護する必要のないデータ又は機密性のないデータ等を入出力する場合に適した入出力を、データ送受信システムを構成する第１のデータ送受信装置と第２のデータ送受信装置との間で実現することができる。
【０２４５】
また、本発明のデータ送受信システムによると、例えば第２のデータ送受信装置によって受信された暗号化されたデータが第１のデータ送受信装置に入力された場合は、第２の送信状態における送信を行なうことにより、その入力されたデータ（第２の送信データ）を再暗号化してから送信することができる。また、例えば第１のデータ送受信装置における送受信手段によって著作権を保護する必要のあるデータを受信した場合は、第２の受信状態における受信を行なうことにより、その受信したデータ（第２の受信データ）を再暗号化してから第２のデータ送受信装置に出力することができる。このため、第１のデータ送受信装置と第２のデータ送受信装置との間で入出力をする場合、入出力されるデータを第三者により不正コピー又は盗聴されることを防止することができる。言い換えると、第１のデータ送受信装置と第２のデータ送受信装置との間で入出力されるデータの著作権を保護することができる。すなわち、第１のデータ送受信装置及び第２のデータ送受信装置に接続されたネットワーク上におけるデータの著作権保護のロバストネス（堅牢性）を守ることができる。
【図面の簡単な説明】
【図１】本発明の第１の実施形態に係るデータ送受信装置の構成を示すブロック図である。
【図２】本発明の第１の実施形態に係るデータ送受信装置の第１の送信状態及び第１の受信状態におけるデータ伝送経路を示す図である。
【図３】本発明の第１の実施形態に係るデータ送受信装置の第２の送信状態及び第２の受信状態におけるデータ伝送経路を示す図である。
【図４】本発明の第１の実施形態に係るデータ送受信装置の第２の送信状態における、第２の送信データを暗号化又は復号化するための鍵を示す図である。
【図５】本発明の第１の実施形態に係るデータ送受信装置の第２の受信状態における、第２の受信データを暗号化又は復号化するための鍵を示す図である。
【図６】本発明の第１の実施形態の変形例に係るデータ送受信装置の構成を示すブロック図である。
【図７】本発明の第２の実施形態に係るデータ送受信装置の構成を示すブロック図である。
【図８】（ａ）は、本発明の第２の実施形態に係るデータ送受信装置を構成する第１のセレクタの概念図であり、（ｂ）は、本発明の第２の実施形態に係るデータ送受信装置を構成する第２のセレクタの概念図である。
【図９】本発明の第２の実施形態の第１変形例に係るデータ送受信装置の構成を示すブロック図である。
【図１０】（ａ）は、本発明の第２の実施形態の第１変形例に係るデータ送受信装置を構成するセレクタ制御部の内部に設けられたレジスタを示す概念図であり、（ｂ）は、図１０（ａ）に示すレジスタに書き込むビットと、セレクタの動作との関係を示す図である。
【図１１】本発明の第２の実施形態の第２変形例に係るデータ送受信装置の構成を示すブロック図に、併せて第２の送信状態におけるデータ伝送経路を示す図である。
【図１２】本発明の第２の実施形態の第２変形例に係るデータ送受信装置の構成を示すブロック図に、併せて第２の受信状態におけるデータ伝送経路を示す図である。
【図１３】本発明の第２の実施形態の第３変形例に係るデータ送受信装置の構成を示すブロック図である。
【図１４】本発明の第２の実施形態の第４変形例に係るデータ送受信装置の構成を示すブロック図である。
【図１５】本発明の第３の実施形態に係るデータ送受信装置の構成を示すブロック図である。
【図１６】本発明の第３の実施形態に係るデータ送受信装置を構成する第１のスイッチのＯＮ状態及びＯＦＦ状態のそれぞれを示す概念図である。
【図１７】本発明の第３の実施形態の変形例に係るデータ送受信装置の構成を示すブロック図である。
【図１８】（ａ）は、本発明の第３の実施形態の変形例に係るデータ送受信装置を構成するスイッチ制御部の内部に設けられたレジスタを示す概念図であり、（ｂ）は、図１８（ａ）に示すレジスタに書き込むビットとスイッチの動作との関係を示す図である。
【図１９】本発明の第４の実施形態に係るデータ送受信装置の構成を示すブロック図であって、併せて第３の送信状態及び第３の受信状態におけるデータ伝送経路も示す図である。
【図２０】本発明の第４の実施形態に係るデータ送受信装置における第３の送信状態及び第３の受信状態における第３の送信データ及び第３の受信データを暗号化又は復号化するための鍵を示す図である。
【図２１】本発明の第４の実施形態の第１変形例に係るデータ送受信装置の構成を示ブロック図である。
【図２２】本発明の第４の実施形態の第２変形例に係るデータ送受信装置の構成を示ブロック図である。
【図２３】本発明の第５の実施形態に係るデータ送受信システムの構成を示すブロック図であって、併せて第１の送信状態及び第１の受信状態におけるデータ伝送経路も示す図である。
【図２４】本発明の第５の実施形態に係るデータ送受信システムの第２の送信状態におけるデータ伝送経路を示す図である。
【図２５】本発明の第５の実施形態に係るデータ送受信システムの第２の受信状態におけるデータ伝送経路を示す図である。
【図２６】本発明の第５の実施形態の変形例に係るデータ送受信システムの構成を示すブロック図である。
【図２７】従来のＩＥＥＥ１３９４ＬＳＩの構成を示すブロック図である。
【図２８】ＩＥＥＥ１３９４規格に準拠して送受信されるＩＥＥＥ１３９４パケットの構成を示す図である。
【図２９】従来のＩＥＥＥ１３９４ＬＳＩに、ＩＥＥＥ１３９４機器（Ｄ−ＶＨＳ）と無線モジュールを接続させた場合の構成を示すブロック図である。
【図３０】図２９に示す構成を図２８を用いて具体的に示すブロック図である。
【符号の説明】
１００    データ送受信装置
１００ａ  データ送受信装置
１０１    送受信手段
１０１ａ  第１の物理層
１０１ｂ  リンク層
１０２ａ  第１の送受信手段
１０２ｂ  第２の送受信手段
１０３ａ  第１の暗号化復号化手段
１０３ｂ  第２の暗号化復号化手段
１０４ａ  第１のデコーダ
１０４ｂ  第２のデコーダ
１０５ａ  第１のエンコーダ
１０５ｂ  第２のエンコーダ
１０６ａ  第１の入出力インターフェイス
１０６ｂ  第２の入出力インターフェイス
１２０ａ  第１のセレクタ
１２０ｂ  第２のセレクタ
１２１    セレクタ制御部
１２２ａ  第１の鍵設定制御部
１２２ｂ  第２の鍵設定制御部
１２３    第３のセレクタ
１２４    第４のセレクタ
１２５    第５のセレクタ
１２６    第６のセレクタ
１２７    第７のセレクタ
１２８    第８のセレクタ
１３０ａ  第１のスイッチ
１３０ｂ  第２のスイッチ
１３１ａ  第３のスイッチ
１３１ｂ  第４のスイッチ
１３２    スイッチ制御部
１４０ａ  第９のセレクタ
１４０ｂ  第１０のセレクタ
１４１ａ  第１１のセレクタ
１４１ｂ  第１２のセレクタ
１５５    無線手段
１５６    第２の物理層
１５７    マック層
１５８    第３の入出力インターフェイス
２００    データ送受信装置
２００ａ  データ送受信装置
２００ｂ  データ送受信装置
２００ｃ  データ送受信装置
２００ｄ  データ送受信装置
３００    データ送受信装置
３００ａ  データ送受信装置
４００    データ送受信装置
４００ａ  データ送受信装置
４００ｂ  データ送受信装置
５００    データ送受信システム
５０１    第１のデータ送受信装置
５０２    第２のデータ送受信装置
５００ａ  データ送受信システム
５０１ａ  第１のデータ送受信装置
５０２ａ  第２のデータ送受信装置
【図１】
2005003844.tif 000003
【図２】
2005003844.tif 000004
【図３】
2005003844.tif 000005
【図４】
2005003844.tif 000006
【図５】
2005003844.tif 000007
【図６】
2005003844.tif 000008
【図７】
2005003844.tif 000009
【図８】
2005003844.tif 000010
【図９】
2005003844.tif 000011
【図１０】
2005003844.tif 000012
【図１１】
2005003844.tif 000013
【図１２】
2005003844.tif 000014
【図１３】
2005003844.tif 000015
【図１４】
2005003844.tif 000016
【図１５】
2005003844.tif 000017
【図１６】
2005003844.tif 000018
【図１７】
2005003844.tif 000019
【図１８】
2005003844.tif 000020
【図１９】
2005003844.tif 000021
【図２０】
2005003844.tif 000022
【図２１】
2005003844.tif 000023
【図２２】
2005003844.tif 000024
【図２３】
2005003844.tif 000025
【図２４】
2005003844.tif 000026
【図２５】
2005003844.tif 000027
【図２６】
2005003844.tif 000028
【図２７】
2005003844.tif 000029
【図２８】
2005003844.tif 000030
【図２９】
2005003844.tif 000031
【図３０】
2005003844.tif 000032